(57)【要約】  抽出部（１３１，１３２）が、先行楽曲及び後続楽曲について、Ｌチャンネル信号及びＲチャンネル信号から、中央定位領域及び非中央定位領域の音成分の信号を抽出する。再生制御部は、中央定位領域に関するフェードアウト処理の開始からフェードイン処理の終了までの第１期間の第１期間長を、非中央定位領域に関するフェードアウト処理の開始からフェードイン処理の終了までの第２期間の第２期間長より短くし、第１期間を第２期間の期間内にする。また、再生制御部は、非中央定位領域に関するフェードアウト処理を、非中央定位領域に関するフェードイン処理の開始後に終了させ、クロスフェード再生を行うようにする。また、再生制御部は、中央定位領域に関するフェードアウト処理を、中央定位領域に関するフェードイン処理の開始後に終了させ、クロスフェード再生を行うようする。
2018029740.tif 000002
【特許請求の範囲】
【請求項１】
先行楽曲と後続楽曲とのクロスフェード再生を行う再生装置であって、
前記先行楽曲及び前記後続楽曲の音のそれぞれから、予め定められた複数の定位領域の対応音成分を抽出する抽出部と；
前記先行楽曲及び前記後続楽曲の対応音成分の対についてのフェードアウト処理及びフェードイン処理を、前記定位領域ごとに行うクロスフェード処理を実行するクロスフェード処理部と；
を備えることを特徴とする再生装置。
【請求項２】
前記複数の定位領域は、中央定位領域及び非中央定位領域である、ことを特徴とする請求項１に記載の再生装置。
【請求項３】
前記中央定位領域に関するフェードアウト処理の開始からフェードイン処理の終了までの第１期間の第１期間長は、前記非中央定位領域に関するフェードアウト処理の開始からフェードイン処理の終了までの第２期間の第２期間長より短く、
前記第１期間が前記第２期間内の期間であり、
前記非中央定位領域に関するフェードアウト処理は、前記非中央定位領域に関するフェードイン処理の開始後に終了する、
ことを特徴とする請求項２に記載の再生装置。
【請求項４】
前記先行楽曲の終盤部分における前記中央定位領域に関する対応音成分の第１解析情報、及び、前記後続楽曲の先頭部分の前記中央定位領域に関する対応音成分の第２解析情報、並びに、前記先行楽曲の終盤部分における前記非中央定位領域に関する対応音成分の第３解析情報、及び、前記後続楽曲の先頭部分における前記非中央定位領域に関する対応音成分の第４解析情報を記憶する記憶部と；
前記第１解析情報及び前記第２解析情報に基づいて、前記中央定位領域に関するフェードアウト処理の開始からフェードイン処理の終了までの第１期間における前記中央定位領域に関する対応音成分の対に対する前記クロスフェード処理部による処理態様を決定するとともに、前記第３解析情報及び前記第４解析情報に基づいて、前記非中央定位領域に関するフェードアウト処理の開始からフェードイン処理の終了までの第２期間における前記非中央定位領域に関する対応音成分の対に対する前記クロスフェード処理部による処理態様を決定する決定部と；を更に備える、
ことを特徴とする請求項２に記載の再生装置。
【請求項５】
前記第１〜４解析情報を作成する作成部を更に備える、ことを特徴とする請求項４に記載の再生装置。
【請求項６】
前記第１〜４解析情報は、音色情報であり、
前記決定部は、
前記第１解析情報と前記第２解析情報とを比較して得られる第１音色類似度に基づいて、前記中央定位領域に関する前記第１期間における前記クロスフェード処理部による処理態様を決定し、
前記第３解析情報と前記第４解析情報とを比較して得られる第２音色類似度に基づいて、前記非中央定位領域に関する前記第２期間における前記クロスフェード処理部による処理態様を決定する、
ことを特徴とする請求項４に記載の再生装置。
【請求項７】
前記第１音色類似度が第１閾値未満であり、かつ、前記第２音色類似度が第２閾値以上の場合には、
前記クロスフェード処理部は、
前記第１期間の第１期間長を前記第２期間の第２期間長より短くし、
前記中央定位領域に関するフェードアウト処理は、前記中央定位領域に関するフェードイン処理の開始前に終了し、
前記非中央定位領域に関するフェードアウト処理は、前記非中央定位領域に関するフェードイン処理の開始後に終了する、
ことを特徴とする請求項６に記載の再生装置。
【請求項８】
前記第１音色類似度が第３閾値以上であり、かつ、前記第２音色類似度が第４閾値未満の場合には、
前記クロスフェード処理部は、
前記第１期間の第１期間長を前記第２期間の第２期間長より長くし、
前記中央定位領域に関するフェードアウト処理は、前記中央定位領域に関するフェードイン処理の開始後に終了し、
前記非中央定位領域に関するフェードアウト処理は、前記非中央定位領域に関するフェードイン処理の開始前に終了する、
ことを特徴とする請求項６に記載の再生装置。
【請求項９】
前記先行楽曲及び前記後続楽曲は、ステレオ楽曲であり、
前記中央定位領域の音成分は、前記ステレオ楽曲のステレオ和信号の音成分であり、
前記非中央定位領域の音成分は、前記ステレオ楽曲のステレオ差信号の音成分である、
ことを特徴とする請求項１に記載の再生装置。
【請求項１０】
前記複数の定位領域は、中央定位領域を含み、
前記先行楽曲及び前記後続楽曲は、サラウンド楽曲であり、
前記中央定位領域の音成分は、前記サラウンド楽曲のセンタチャンネル信号の音成分が含まれる、
ことを特徴とする請求項１に記載の再生装置。
【請求項１１】
抽出部と、クロスフェード処理部とを備え、先行楽曲と後続楽曲とのクロスフェード再生を行う再生装置において使用される再生方法であって、
前記抽出部が、前記先行楽曲及び前記後続楽曲の音のそれぞれから、予め定められた複数の定位領域の対応音成分を抽出する抽出工程と；
前記先行楽曲及び前記後続楽曲の対応音成分の対についてのフェードアウト処理及びフェードイン処理を、前記定位領域ごとに行うクロスフェード処理を、前記クロスフェード処理部が実行するクロスフェード処理工程と；
を備えることを特徴とする再生方法。
【請求項１２】
再生装置が有するコンピュータに、請求項１１に記載の再生方法を実行させる、ことを特徴とする再生プログラム。
【請求項１３】
再生装置が有するコンピュータにより読み取り可能に、請求項１２に記載の再生プログラムが記録されている、ことを特徴とする記録媒体。
【発明の詳細な説明】
【技術分野】
【０００１】
本発明は、再生装置、再生方法、再生プログラム、及び、当該再生プログラムが記録された記録媒体に関する。
【背景技術】
【０００２】
従来から、楽曲コンテンツを再生する再生装置が広く普及している。こうした再生装置の中には、先行して再生される先行楽曲、及び、当該先行楽曲に続いて再生される後続楽曲の継ぎ目を聴覚的に目立たなくなるようにするため、先行楽曲の終盤部分の音量を徐々に小さくしていくフェードアウト処理を行いながら、後続楽曲の先頭部分の音量を徐々に大きくしていくフェードイン処理を行うクロスフェード再生を実行する再生装置がある。【０００３】
楽曲のクロスフェード再生は、先行楽曲の終盤部分と、後続楽曲の先頭部分とを同時に再生する。このため、同時に再生される楽曲部分の特徴の違い等から、クロスフェード期間において、聴感上の違和感が発生することがある。そこで、クロスフェード再生において、聴感上の違和感の発生を抑制する技術が提案されている。【０００４】
こうした提案技術の一つとして、音声を周波数帯域ごとの音成分に分けて、各周波数帯域の音成分ごとにクロスフェード再生を行う技術がある（特許文献１参照：以下、「従来例」と呼ぶ）。この従来例の技術では、クロスフェード期間における先行楽曲のビートパターン及び後続楽曲のビートパターンの違いによる聴感上の違和感の発生を抑制するため、先行楽曲のフェードアウト処理及び後続楽曲のフェードイン処理を行う際に、先行楽曲及び後続楽曲の低域周波数成分の合計レベルを、先行楽曲及び後続楽曲の中域周波数成分の合計レベル、並びに、先行楽曲及び後続楽曲の高域周波数成分の合計レベルよりも小さくするようにしている。
【先行技術文献】
【特許文献】
【０００５】
【特許文献１】特開２００８−２７５５２号公報
【発明の概要】
【発明が解決しようとする課題】
【０００６】
ここで、例えば、先行楽曲及び後続楽曲がステレオ楽曲であるとする。そして、先行楽曲はギター演奏がメインの楽曲であり、後続楽曲はベース演奏がメインの楽曲であるとする。この場合には、先行楽曲の中央定位領域に関する音成分はギター演奏となり、後続楽曲の中央定位領域に関する音成分はベース演奏となる。そして、このときには、先行楽曲の中央定位の音成分の音色と、後続楽曲の中央定位の音成分の音色とは、異なっている。こうした先行楽曲及び後続楽曲について、従来例の技術を適用してクロスフェード再生を行うと、クロスフェード期間において、中央定位の音成分として、ギター演奏とベース演奏との双方が聴こえ、音楽的な調和が崩れることがある。この結果、従来例の技術では、ステレオ楽曲やサラウンド楽曲等の複数チャンネルの楽曲についてクロスフェード再生を行った場合に、クロスフェード期間において、聴感上の違和感が発生する可能性がある。【０００７】
このため、複数チャンネルの楽曲に対してクロスフェード再生を行ったときに、クロスフェード期間において、聴感上の違和感の発生を抑制することができる技術が望まれている。かかる要請に応えることが、本発明が解決すべき課題の一つとして挙げられる。
【課題を解決するための手段】
【０００８】
請求項１に記載の発明は、先行楽曲と後続楽曲とのクロスフェード再生を行う再生装置であって、前記先行楽曲及び前記後続楽曲の音のそれぞれから、予め定められた複数の定位領域の対応音成分を抽出する抽出部と；前記先行楽曲及び前記後続楽曲の対応音成分の対についてのフェードアウト処理及びフェードイン処理を、前記定位領域ごとに行うクロスフェード処理を実行するクロスフェード処理部と；を備えることを特徴とする再生装置である。【０００９】
請求項１１に記載の発明は、抽出部と、クロスフェード処理部とを備え、先行楽曲と後続楽曲とのクロスフェード再生を行う再生装置において使用される再生方法であって、前記抽出部が、前記先行楽曲及び前記後続楽曲の音のそれぞれから、予め定められた複数の定位領域の対応音成分を抽出する抽出工程と；前記先行楽曲及び前記後続楽曲の対応音成分の対についてのフェードアウト処理及びフェードイン処理を、前記定位領域ごとに行うクロスフェード処理を、前記クロスフェード処理部が実行するクロスフェード処理工程と；を備えることを特徴とする再生方法である。【００１０】
請求項１２に記載の発明は、再生装置が有するコンピュータに、請求項１１に記載の再生方法を実行させる、ことを特徴とする再生プログラムである。【００１１】
請求項１３に記載の発明は、再生装置が有するコンピュータにより読み取り可能に、請求項１２に記載の再生プログラムが記録されている、ことを特徴とする記録媒体である。
【図面の簡単な説明】
【００１２】
【図１】本発明の第１実施形態に係る再生装置の構成を概略的に示すブロック図である。
【図２】図１の音源ユニットに記憶される楽曲コンテンツ情報の内容を説明するための図である。
【図３】図１のデジタル処理ユニットの構成を示すブロック図である。
【図４】図１の制御ユニットの構成を示すブロック図である。
【図５】図４の記憶部に記憶される録音時間情報の内容を説明するための図である。
【図６】図４の記憶部に記憶されるクロスフェード処理情報の内容を説明するための図である。
【図７】図６の第１期間処理情報及び第２期間処理情報について説明するための図である。
【図８】楽曲再生計画の内容を説明するための図である。
【図９】第１実施形態におけるクロスフェード再生処理を説明するための図である。
【図１０】本発明の第２実施形態に係る再生装置における制御ユニットの構成を示すブロック図である。
【図１１】図１０の記憶部に記憶される解析情報の内容を説明するための図である。
【図１２】図１０の記憶部に記憶されるクロスフェード処理情報の内容を説明するための図である。
【図１３】第２実施形態におけるクロスフェード再生処理を説明するための図（その１）である。
【図１４】第２実施形態におけるクロスフェード再生処理を説明するための図（その２）である。
【符号の説明】
【００１３】
１００Ａ，１００Ｂ  …  再生装置
１３１，１３２      …  抽出部
１３３              …  クロスフェード処理部
１９１Ｂ            …  記憶部
１９２Ｂ            …  再生制御部（作成部、決定部）
【発明を実施するための形態】
【００１４】
以下、本発明の実施形態を、添付図面を参照して説明する。なお、以下の説明及び図面においては、同一又は同等の要素には同一の符号を付し、重複する説明を省略する。
【００１５】
［第１実施形態］
本発明の第１実施形態を、図１〜図９を参照して説明する。
【００１６】
＜構成＞
図１には、第１実施形態に係る再生装置１００Ａの概略的な構成がブロック図にて示されている。第１実施形態では、再生装置１００Ａは、２チャンネルステレオ方式の音響信号に対する再生処理を行うものとする。ここで、２チャンネルステレオ方式の音響信号とは、レフトチャンネル（以下、「Ｌチャンネル」とも記す）及びライトチャンネル（以下、「Ｒチャンネル」とも記す）の２チャンネル構成の音響信号をいうものとする。
【００１７】
再生装置１００Ａは、図１に示されるように、音源ユニット１１０と、楽曲供給ユニット１２１，１２２と、デジタル処理ユニット１３０とを備えている。また、再生装置１００Ａは、アナログ処理ユニット１５０と、スピーカユニット１６０L，１６０Rと、入力ユニット１８０とを備えている。さらに、再生装置１００Ａは、制御ユニット１９０Ａを備えている。
【００１８】
上記の音源ユニット１１０は、不揮発性の記憶素子を備えて構成される。当該音源ユニット１１０は、楽曲コンテンツ情報ＭＣＤを記憶する。
【００１９】
上記の楽曲コンテンツ情報ＭＣＤには、図２に示されるように、楽曲コンテンツ情報＃１，＃２，…，＃Ｐが含まれている。当該楽曲コンテンツ情報＃ｐ（ｐ＝１，２，…，Ｐ）には、楽曲コンテンツ識別子＃ｐ、楽曲音データ＃ｐ及び録音時間＃ｐが含まれる。第１実施形態では、再生装置１００Ａは、楽曲＃１、楽曲＃２、…、楽曲＃Ｐの順番で、楽曲の再生を行うようになっている。
【００２０】
図１に戻り、上記の楽曲供給ユニット１２１は、制御ユニット１９０Ａから送られた再生指令ＰＣ１に従って、音源ユニット１１０から、指定された楽曲の楽曲音データを楽曲信号ＭＤ１として読み取る。そして、楽曲供給ユニット１２１は、当該楽曲信号ＭＤ１から楽曲Ｌチャンネル信号Ｌ１及び楽曲Ｒチャンネル信号Ｒ１を生成する。生成された楽曲Ｌチャンネル信号Ｌ１及び楽曲Ｒチャンネル信号Ｒ１は、デジタル処理ユニット１３０へ送られる。
【００２１】
上記の楽曲供給ユニット１２２は、制御ユニット１９０Ａから送られた再生指令ＰＣ２に従って、音源ユニット１１０から、指定された楽曲の楽曲音データを楽曲信号ＭＤ２として読み取る。そして、楽曲供給ユニット１２２は、当該楽曲信号ＭＤ２から楽曲Ｌチャンネル信号Ｌ２及び楽曲Ｒチャンネル信号Ｒ２を生成する。生成された楽曲Ｌチャンネル信号Ｌ２及び楽曲Ｒチャンネル信号Ｒ２は、デジタル処理ユニット１３０へ送られる。
【００２２】
ここで、楽曲供給ユニット１２１及び楽曲供給ユニット１２２は、制御ユニット１９０Ａによる制御のもとで、音源ユニット１１０から、楽曲音データを交互に読み取り、楽曲Ｌチャンネル信号及び楽曲Ｒチャンネル信号を生成するようになっている。例えば、楽曲供給ユニット１２１が、再生順番が１番の楽曲音データを読み取った場合には、楽曲供給ユニット１２２が、再生順番が２番の楽曲音データを読み取り、楽曲供給ユニット１２１が、再生順番が３番の楽曲音データを読み取るようになっている。
【００２３】
上記のデジタル処理ユニット１３０は、楽曲供給ユニット１２１から送られた楽曲Ｌチャンネル信号Ｌ１（以下、「信号Ｌ１」とも記す）及び楽曲Ｒチャンネル信号Ｒ１（以下、「信号Ｒ１」とも記す）を受ける。また、デジタル処理ユニット１３０は、楽曲供給ユニット１２２から送られた楽曲Ｌチャンネル信号Ｌ２（以下、「信号Ｌ２」とも記す）及び楽曲Ｒチャンネル信号Ｒ２（以下、「信号Ｒ２」とも記す）を受ける。
【００２４】
そして、デジタル処理ユニット１３０は、信号Ｌ１及び信号Ｒ１、並びに、信号Ｌ２及び信号Ｒ２に基づいて楽曲のクロスフェード再生処理等を行い、再生用楽曲Ｌチャンネル信号ＣＬＤ及び再生用楽曲Ｒチャンネル信号ＣＲＤを生成する。生成された再生用楽曲Ｌチャンネル信号ＣＬＤ（以下、「再生用Ｌチャンネル信号ＣＬＤ」とも記す）及び再生用楽曲Ｒチャンネル信号ＣＲＤ（以下、「再生用Ｒチャンネル信号ＣＲＤ」とも記す）は、アナログ処理ユニット１５０へ送られる。デジタル処理ユニット１３０の構成の詳細については、後述する。
【００２５】
上記のアナログ処理ユニット１５０は、デジタル処理ユニット１３０から送られた再生用Ｌチャンネル信号ＣＬＤ及び再生用Ｒチャンネル信号ＣＲＤを受ける。そして、アナログ処理ユニット１５０は、再生用Ｌチャンネル信号ＣＬＤに基づいて出力音信号ＡＯＳLを生成し、再生用Ｒチャンネル信号ＣＲＤに基づいて出力音信号ＡＯＳRを生成する。
【００２６】
かかる機能を有するアナログ処理ユニット１５０は、ＤＡ（Digital to Analogue）変換部と、音量調整部と、パワー増幅部とを備えて構成される。ここで、ＤＡ変換部は、デジタル処理ユニット１３０から送られた再生用Ｌチャンネル信号ＣＬＤ及び再生用Ｒチャンネル信号ＣＲＤを受ける。そして、ＤＡ変換部は、再生用Ｌチャンネル信号ＣＬＤ及び再生用Ｒチャンネル信号ＣＲＤをアナログ信号に変換する。なお、ＤＡ変換部は、Ｌチャンネル及びＲチャンネルに対応して、互いに同様に構成された２個のＤＡ変換器を備えている。ＤＡ変換部によるアナログ変換結果は音量調整部へ送られる。
【００２７】
音量調整部は、ＤＡ変換部から送られたＬチャンネル及びＲチャンネルのアナログ変換結果の信号を受ける。そして、音量調整部は、Ｌチャンネル及びＲチャンネルのそれぞれに対応するアナログ変換結果の信号に対して音量調整処理を施す。なお、音量調整部は、Ｌチャンネル及びＲチャンネルに対応して、互いに同様に構成された２個の電子ボリューム素子等を備えて構成されている。音量調整部による音量調整結果の信号は、パワー増幅部へ送られる。
【００２８】
パワー増幅部は、音量調整部から送られたＬチャンネル及びＲチャンネルの音量調整結果の信号を受ける。そして、パワー増幅部は、音量調整結果の信号をパワー増幅して、出力音信号ＡＯＳL及び出力音信号ＡＯＳRを生成する。生成された出力音信号ＡＯＳLは、スピーカユニット１６０Lへ送られる。また、生成された出力音信号ＡＯＳRは、スピーカユニット１６０Rへ送られる。
【００２９】
上記のスピーカユニット１６０Lは、アナログ処理ユニット１５０から送られた出力音信号ＡＯＳLを受ける。そして、スピーカユニット１６０Lは、出力音信号ＡＯＳLに従って、音声を再生出力する。
【００３０】
上記のスピーカユニット１６０Rは、アナログ処理ユニット１５０から送られた出力音信号ＡＯＳRを受ける。そして、スピーカユニット１６０Rは、出力音信号ＡＯＳRに従って、音声を再生出力する。
【００３１】
上記の入力ユニット１８０は、再生装置１００Ａの本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。入力ユニット１８０への入力結果は、入力データＩＰＤとして制御ユニット１９０Ａへ送られる。
【００３２】
上記の制御ユニット１９０Ａは、様々な処理を行うとともに、再生装置１００Ａの全体の動作を制御する。制御ユニット１９０Ａの構成の詳細については、後述する。
【００３３】
《デジタル処理ユニット１３０の構成》
デジタル処理ユニット１３０の構成について説明する。
【００３４】
デジタル処理ユニット１３０は、図３に示されるように、抽出部１３１，１３２と、クロスフェード処理部１３３とを備えている。また、デジタル処理ユニット１３０は、ステレオ信号抽出部１３５，１３６と、信号加算部１３７L，１３７Rとを備えている。
【００３５】
上記の抽出部１３１は、楽曲供給ユニット１２１から送られた信号Ｌ１及び信号Ｒ１を受ける。そして、抽出部１３１は、次の（１）式により、楽曲信号ＭＤ１から中央定位領域に関する音成分の信号Ｍ１を抽出する。また、抽出部１３１は、次の（２）式により、楽曲信号ＭＤ１から非中央定位領域に関する音成分の信号Ｓ１を抽出する。
Ｍ１＝（Ｌ１＋Ｒ１）／２              …（１）
Ｓ１＝（Ｌ１−Ｒ１）／２              …（２）
そして、抽出部１３１は、信号Ｍ１及び信号Ｓ１をクロスフェード処理部１３３へ送る。
【００３６】
上記の抽出部１３２は、楽曲供給ユニット１２２から送られた信号Ｌ２及び信号Ｒ２を受ける。そして、抽出部１３２は、次の（３）式により、楽曲信号ＭＤ２から中央定位領域に関する音成分の信号Ｍ２を抽出する。また、抽出部１３２は、次の（４）式により、楽曲信号ＭＤ２から非中央定位領域に関する音成分の信号Ｓ２を抽出する。
Ｍ２＝（Ｌ２＋Ｒ２）／２              …（３）
Ｓ２＝（Ｌ２−Ｒ２）／２              …（４）
そして、抽出部１３２は、信号Ｍ２及び信号Ｓ２をクロスフェード処理部１３３へ送る。
【００３７】
上記のクロスフェード処理部１３３は、楽曲信号ＭＤ１と楽曲信号ＭＤ２とのクロスフェード処理を行う。かかる機能を有するクロスフェード処理部１３３は、第１処理部２１１と、第２処理部２１２と、第３処理部２１３と、第４処理部２１４とを備えている。
【００３８】
上記の第１処理部２１１は、抽出部１３１から送られた信号Ｍ１を受ける。そして、第１処理部２１１は、制御ユニット１９０Ａから送られた第１利得指令ＸＣ１に従って、信号Ｍ１に指定された利得を乗じて信号ＭＸ１を生成する。生成された信号ＭＸ１は、ステレオ信号抽出部１３５へ送られる。
【００３９】
上記の第２処理部２１２は、抽出部１３１から送られた信号Ｓ１を受ける。そして、第１処理部２１２は、制御ユニット１９０Ａから送られた第２利得指令ＸＣ２に従って、信号Ｓ１に指定された利得を乗じて信号ＳＸ１を生成する。生成された信号ＳＸ１は、ステレオ信号抽出部１３５へ送られる。
【００４０】
上記の第３処理部２１３は、抽出部１３２から送られた信号Ｍ２を受ける。そして、第３処理部２１３は、制御ユニット１９０Ａから送られた第３利得指令ＸＣ３に従って、信号Ｍ２に指定された利得を乗じて信号ＭＸ２を生成する。生成された信号ＭＸ２は、ステレオ信号抽出部１３６へ送られる。
【００４１】
上記の第４処理部２１４は、抽出部１３２から送られた信号Ｓ２を受ける。そして、第４処理部２１４は、制御ユニット１９０Ａから送られた第４利得指令ＸＣ４に従って、信号Ｓ２に指定された利得を乗じて信号ＳＸ２を生成する。生成された信号ＳＸ２は、ステレオ信号抽出部１３６へ送られる。
【００４２】
上記のステレオ信号抽出部１３５は、第１処理部２１１から送られた信号ＭＸ１を受ける。また、ステレオ信号抽出部１３５は、第２処理部２１２から送られた信号ＳＸ１を受ける。そして、ステレオ信号抽出部１３５は、次の（５）式により、Ｌチャンネルの信号ＬＣ１を抽出する。また、ステレオ信号抽出部１３５は、次の（６）式により、Ｒチャンネルの信号ＲＣ１を抽出する。
ＬＣ１＝（ＭＸ１＋ＳＸ１）／２              …（５）
ＲＣ１＝（ＭＸ１−ＳＸ１）／２              …（６）
そして、ステレオ信号抽出部１３５は、信号ＬＣ１を信号加算部１３７Lへ送る。また、ステレオ信号抽出部１３５は、信号ＲＣ１を信号加算部１３７Rへ送る。
【００４３】
上記のステレオ信号抽出部１３６は、第３処理部２１３から送られた信号ＭＸ２を受ける。また、ステレオ信号抽出部１３６は、第４処理部２１４から送られた信号ＳＸ２を受ける。そして、ステレオ信号抽出部１３６は、次の（７）式により、Ｌチャンネルの信号ＬＣ２を抽出する。また、ステレオ信号抽出部１３６は、次の（８）式により、Ｒチャンネルの信号ＲＣ２を抽出する。
ＬＣ２＝（ＭＸ２＋ＳＸ２）／２              …（７）
ＲＣ２＝（ＭＸ２−ＳＸ２）／２              …（８）
そして、ステレオ信号抽出部１３６は、信号ＬＣ２を信号加算部１３７Lへ送る。また、ステレオ信号抽出部１３６は、信号ＲＣ２を信号加算部１３７Rへ送る。
【００４４】
上記の信号加算部１３７Lは、ステレオ信号抽出部１３５から送られた信号ＬＣ１を受ける。また、信号加算部１３７Lは、ステレオ信号抽出部１３６から送られた信号ＬＣ２を受ける。そして、信号加算部１３７Lは、信号ＬＣ１及び信号ＬＣ２を加算して、再生用楽曲Ｌチャンネル信号ＣＬＤを生成する。生成された再生用楽曲Ｌチャンネル信号ＣＬＤは、アナログ処理ユニット１５０へ送られる。
【００４５】
上記の信号加算部１３７Rは、ステレオ信号抽出部１３５から送られた信号ＲＣ１を受ける。また、信号加算部１３７Rは、ステレオ信号抽出部１３６から送られた信号ＲＣ２を受ける。そして、信号加算部１３７Rは、信号ＲＣ１及び信号ＲＣ２を加算して、再生用楽曲Ｒチャンネル信号ＣＲＤを生成する。生成された再生用楽曲Ｒチャンネル信号ＣＲＤは、アナログ処理ユニット１５０へ送られる。
【００４６】
《制御ユニット１９０Ａの構成》
制御ユニット１９０Ａの構成について説明する。
【００４７】
制御ユニット１９０Ａは、図４に示されるように、記憶部１９１Ａと、再生制御部１９２Ａとを備えている。
【００４８】
上記の記憶部１９１Ａは、不揮発性の記憶素子を備えて構成される。第１実施形態では、記憶部１９１Ａには、録音時間情報ＲＴＩ及びクロスフェード処理情報ＸＦＡが含まれる。
【００４９】
上記の録音時間情報ＲＴＩには、図５に示されるように、録音時間情報＃ｐ（ｐ＝１，２，…，Ｐ）が含まれている。当該録音時間情報＃ｐ（ｐ＝１，２，…，Ｐ）には、楽曲＃ｐの楽曲コンテンツ識別子＃ｐ及び録音時間＃ｐが含まれる。当該録音時間情報ＲＴＩは、再生制御部１９２Ａにより作成され、記憶部１９１Ａ内に格納される。
【００５０】
上記のクロスフェード処理情報ＸＦＡには、図６に示されるように、第１期間処理情報ＸＦＡ１と第２期間処理情報ＸＦＡ２とが含まれている。
【００５１】
上記の第１期間処理情報ＸＦＡ１は、中央定位領域に関する音成分（信号Ｍ１，Ｍ２）についての、先行楽曲のフェードアウト処理の開始から後続楽曲のフェードイン処理の終了までの第１期間（以下、単に「第１期間」とも記す）の処理態様に関する情報である。また、上記の第２期間処理情報ＸＦＡ２は、非中央定位領域に関する音成分（信号Ｓ１，Ｓ２）についての、先行楽曲のフェードアウト処理の開始から後続楽曲のフェードイン処理の終了までの第２期間（以下、単に「第２期間」とも記す）の処理態様に関する情報である。
【００５２】
ここで、第１期間処理情報ＸＦＡ１には、中央定位領域に関する音成分についての第１期間の処理に関する次の（ａ１）〜（ｇ１）の情報が含まれている。
（ａ１）ΔＴoutMID,START：フェードアウトの開始時間情報
（ｂ１）ΔＴoutMID,END :フェードアウトの終了時間情報
（ｃ１）ＧoutMID :フェードアウトの利得情報
（ｄ１）ΔＴinMID,START :フェードインの開始時間情報
（ｅ１）ΔＴinMID,END :フェードインの終了時間情報
（ｆ１）ＧinMID :フェードインの利得情報
（ｇ１）ΔＴ : （先行楽曲の終了時刻ｔPR,end）
−（後続楽曲の開始時刻ｔSU,start）
【００５３】
また、第２期間処理情報ＸＦＡ２には、非中央定位領域に関する音成分についての第２期間の処理に関する次の（ａ２）〜（ｇ２）の情報が含まれている。
（ａ２）ΔＴoutSIDE,START :フェードアウトの開始時間情報
（ｂ２）ΔＴoutSIDE,END :フェードアウトの終了時間情報
（ｃ２）ＧoutSIDE :フェードアウトの利得情報
（ｄ２）ΔＴinSIDE,START :フェードインの開始時間情報
（ｅ２）ΔＴinSIDE,END :フェードインの終了時間情報
（ｆ２）ＧinSIDE :フェードインの利得情報
（ｇ２）ΔＴ : （先行楽曲の終了時刻ｔPR,end）
−（後続楽曲の開始時刻ｔSU,start）
【００５４】
第１実施形態では、（ａ１）〜（ｇ１）の情報及び（ａ２）〜（ｇ２）の情報は、実験、シミュレーション、経験等に基づいて、予め定められる。なお、（ｇ１）と（ｇ２）とは、同じ値になっている。
【００５５】
上述した（ａ１）〜（ｇ１）の情報及び（ａ２）〜（ｇ２）の情報と、楽曲のクロスフェード再生のタイミングとの対応関係が、図７に示されている。ここで、先行楽曲のフェードアウト処理に関する情報である(ａ１)ΔＴoutMID,START、（ｂ１）ΔＴoutMID,END、（ａ２）ΔＴoutSIDE,START及び（ｂ２）ΔＴoutSIDE,ENDは、先行楽曲の終了時刻ｔPR,endを基準にして、当該時刻から遡った時間に関する情報となっている（図７参照）。なお、第１実施形態では、（ｂ２）については、「ΔＴoutSIDE,END＝０」とする。
【００５６】
また、後続楽曲のフェードイン処理に関する情報である（ｄ１）ΔＴinMID,START、（ｅ１）ΔＴinMID,END、（ｄ２）ΔＴinSIDE,START、（ｅ２）ΔＴinSIDE,ENDは、後続楽曲の開始時刻ｔSU,startを基準にして、当該時刻から経過した時間に関する情報となっている。なお、第１実施形態では、（ｄ２）については、「ΔＴinSIDE,START＝０」とする。
【００５７】
ここで、先行楽曲の中央定位領域に関する音成分について、フェードアウト処理の開始時刻を時刻τoutMID,STARTとし、フェードアウト処理の終了時刻を時刻τoutMID,ENDとする。また、後続楽曲の中央定位領域に関する音成分について、フェードイン処理の開始時刻を時刻τinMID,STARTとし、フェードイン処理の終了時刻を時刻τinMID,ENDとする。
【００５８】
この場合に、先行楽曲の中央定位領域に関する音成分についてのフェードアウト処理における利得ＧoutMIDは、次の（９）式で与えられる。
ＧoutMID＝ｆoutMID（ｔ−τoutMID,START）
（τoutMID,START≦ｔ≦τoutMID,END）…（９）
ここで、ｆoutMID（ｔ−τoutMID,START）は予め定められた関数であり、ｆoutMID（０）＝１、ｆoutMID（τoutMID,END−τoutMID,START）＝０となっている。
【００５９】
また、後続楽曲の中央定位領域に関する音成分についてのフェードイン処理における利得ＧinMIDは、次の（１０）式で与えられる。
ＧinMID＝ｆinMID（ｔ−τinMID,START）
（τinMID,START≦ｔ≦τinMID,END）…（１０）
ここで、ｆinMID（ｔ−τinMID,START）は予め定められた関数であり、ｆinMID（０）＝０、ｆinMID（τinMID,END−τinMID,START）＝１となっている。
【００６０】
また、先行楽曲の非中央定位領域に関する音成分について、フェードアウト処理の開始時刻を時刻τoutSIDE,STARTとし、フェードアウト処理の終了時刻を時刻τoutSIDE,ENDとする。また、後続楽曲の非中央定位領域に関する音成分について、フェードイン処理の開始時刻を時刻τinSIDE,STARTとし、フェードイン処理の終了時刻を時刻τinSIDE,ENDとする。
【００６１】
この場合に、先行楽曲の非中央定位領域に関する音成分についてのフェードアウト処理における利得ＧoutSIDEは、次の（１１）式で与えられる。
ＧoutSIDE＝ｆoutSIDE（ｔ−τoutSIDE,START）
（τoutSIDE,START≦ｔ≦τoutSIDE,END）…（１１）
ここで、ｆoutSIDE（ｔ−τoutSIDE,START）は予め定められた関数であり、ｆoutSIDE（０）＝１、ｆoutSIDE（τoutSIDE,END−τoutSIDE,START）＝０となっている。
【００６２】
また、後続楽曲の中央定位領域に関する音成分についてのフェードイン処理における利得ＧinSIDEは、次の（１２）式で与えられる。
ＧinSIDE＝ｆinSIDE（ｔ−τinSIDE,START）
（τinSIDE,START≦ｔ≦τinSIDE,END）…（１２）
ここで、ｆinSIDE（ｔ−τinSIDE,START）は予め定められた関数であり、ｆinSIDE（０）＝０、ｆinSIDE（τinSIDE,END−τinSIDE,START）＝１となっている。
【００６３】
なお、図７には、第１実施形態において採用する利得ｆoutMID（ｔ−τoutMID,START）、利得ｆinMID（ｔ−τinMID,START）、利得ｆoutSIDE（ｔ−τoutSIDE,START）及び利得ｆinSIDE（ｔ−τinSIDE,START）が図示されている。
【００６４】
ここで、第１実施形態では、図７に示されるように、第１期間の期間長は、第２期間の期間長よりも短くなっている、また、第１期間は第２期間の期間内になっている。また、非中央定位領域に関するフェードアウト処理は、非中央定位領域に関するフェードイン処理の開始後に終了するようになっている。すなわち、非中央定位領域に関する音成分ついては、クロスフェード再生を行うようになっている。
【００６５】
さらに、第１実施形態では、中央定位領域に関するフェードアウト処理は、中央定位領域におけるフェードイン処理の開始後に終了するようになっている。すなわち、中央定位領域に関する音成分についても、クロスフェード再生を行うようになっている。
【００６６】
図４に戻り、上記の再生制御部１９２Ａは、計時機能を有しており、楽曲コンテンツの再生を制御する。
【００６７】
かかる機能を有する再生制御部１９２Ａは、楽曲コンテンツの再生前に、まず、音源ユニット１１０にアクセスして、楽曲コンテンツ情報ＭＣＩに含まれる楽曲コンテンツ識別子＃ｐ及び録音時間＃ｐを取得する。次に、再生制御部１９２Ａは、当該取得された楽曲コンテンツ識別子＃ｐ及び録音時間＃ｐに基づいて、録音時間情報ＲＴＩを作成する。次いで、再生制御部１９２Ａは、当該録音時間情報ＲＴＩを記憶部１９１Ａに格納する。
【００６８】
引き続き、再生制御部１９２Ａは、録音時間情報ＲＴＩ及びクロスフェード処理情報ＸＦＡに基づいて、楽曲コンテンツの楽曲再生計画を作成して内部に保持する。再生制御部１９２Ａによる当該楽曲再生計画の作成処理の詳細については、後述する。
【００６９】
また、再生制御部１９２Ａは、入力部１８０から送られた入力データＩＰＤを受ける。当該入力データＩＰＤの内容が楽曲コンテンツの再生指定である場合には、再生制御部１９２Ａは、楽曲再生計画に従って、再生指令ＰＣ１を生成して楽曲供給ユニット１２１へ送り、再生指令ＰＣ２を生成して楽曲供給ユニット１２２へ送る。
【００７０】
また、再生制御部１９２Ａは、利得指令ＸＣを生成してクロスフェード処理部１３３へ送り、楽曲コンテンツの再生制御を行う。かかる再生制御に際して、再生制御部１９２Ａは、先行して再生される楽曲である先行楽曲のフェードアウト処理の制御を行い、当該先行楽曲に続いて再生される楽曲である後続楽曲のフェードイン処理の制御を行う。ここで、利得指令ＸＣには、第１利得指令ＸＣ１、第２利得指令ＸＣ２、第３利得指令ＸＣ３及び第４利得指令ＸＣ４が含まれている。
【００７１】
第１実施形態では、再生制御部１９２Ａは、楽曲コンテンツのクロスフェード再生の制御に際して、中央定位領域に関する音成分及び非中央定位領域に関する音成分のそれぞれに対して、先行楽曲のフェードアウト処理の制御を行い、後続楽曲のフェードイン処理の制御を行うようになっている。
【００７２】
かかる制御に際して、先行楽曲の中央定位の信号が信号Ｍ１、先行楽曲の非中央定位の信号が信号Ｓ１であり、後続楽曲の中央定位の信号が信号Ｍ２、後続楽曲の非中央定位の信号が信号Ｓ２であるときには、再生制御部１９２Ａは、信号Ｍ１，Ｓ１をフェードアウト処理する制御を行い、信号Ｍ２，Ｓ２をフェードイン処理する制御を行う。すなわち、再生制御部１９２Ａは、先行楽曲の中央定位領域に関する信号Ｍ１に対してフェードアウト処理を行うための第１利得指令ＸＣ１を生成して第１処理部２１１へ送り、後続楽曲の中央定位領域に関する信号Ｍ２に対してフェードイン処理を行うための第３利得指令ＸＣ３を生成して第３処理部２１３へ送る（中央定位領域に関する音信号に対する第１期間の制御）。
【００７３】
また、この場合に、再生制御部１９２Ａは、先行楽曲の非中央定位領域に関する信号Ｓ１に対してフェードアウト処理を行うための第２利得指令ＸＣ２を生成して第２処理部２１２へ送り、後続楽曲の非中央定位領域に関する信号Ｓ２に対してフェードイン処理を行うための第４利得指令ＸＣ４を生成して第４処理部２１４へ送る（非中央定位領域に関する音信号に対する第２期間の制御）。
【００７４】
一方、先行楽曲の中央定位の信号が信号Ｍ２、先行楽曲の非中央定位の信号が信号Ｓ２であり、後続楽曲の中央定位の信号が信号Ｍ１、後続楽曲の非中央定位の信号が信号Ｓ１であるときには、再生制御部１９２Ａは、信号Ｍ２，Ｓ２をフェードアウト処理する制御を行い、信号Ｍ１，Ｓ１をフェードイン処理する制御を行う。すなわち、再生制御部１９２Ａは、先行楽曲の中央定位領域に関する信号Ｍ２に対してフェードアウト処理を行うための第３利得指令ＸＣ３を生成して第３処理部２１３へ送り、後続楽曲の中央定位領域に関する信号Ｍ１に対してフェードイン処理を行うための第１利得指令ＸＣ１を生成して第１処理部２１１へ送る（中央定位領域に関する音信号に対する第１期間の制御）。
【００７５】
また、この場合に、再生制御部１９２Ａは、先行楽曲の非中央定位領域に関する信号Ｓ２に対してフェードアウト処理を行うための第４利得指令ＸＣ４を生成して第４処理部２１４へ送り、後続楽曲の非中央定位領域に関する信号Ｓ１に対してフェードイン処理を行うための第２利得指令ＸＣ２を生成して第２処理部２１２へ送る（非中央定位領域に関する音信号に対する第２期間の制御）。
【００７６】
再生制御部１９２Ａによる再生制御処理の詳細については、後述する。
【００７７】
＜動作＞
以上のようにして構成された再生装置１００Ａの動作について、楽曲のクロスフェード再生の処理に主に着目して説明する。
【００７８】
以下の説明では、先行楽曲を楽曲＃１、後続楽曲を楽曲＃２として、楽曲＃１及び楽曲＃２のクロスフェード再生の制御に着目して説明する。
【００７９】
《楽曲再生計画の作成処理》
まず、再生制御部１９２Ａによる楽曲コンテンツの楽曲再生計画の作成処理について説明する。当該楽曲再生計画の作成処理は、楽曲コンテンツの再生に先立って行われる。
【００８０】
楽曲コンテンツの楽曲再生計画の作成に際して、再生制御部１９２Ａは、まず、音源ユニット１１０にアクセスして、楽曲コンテンツ情報ＭＣＩに含まれる楽曲コンテンツ識別子＃ｐ及び録音時間＃ｐを取得する。次に、再生制御部１９２Ａは、楽曲コンテンツ識別子＃ｐ及び録音時間＃ｐに基づいて、録音時間情報ＲＴＩを作成して、記憶部１９１Ａに格納する。
【００８１】
次いで、再生制御部１９２Ａは、クロスフェード処理情報ＸＦＡにおける第１期間処理情報ＸＦＡ１の時間情報ΔＴoutMID,START，ΔＴoutMID,END，ΔＴinMID,START，ΔＴinMID,END、並びに、クロスフェード処理情報ＸＦＡにおける第２期間処理情報ＸＦＡ２の時間情報ΔＴoutSIDE,START，ΔＴoutSIDE,END（＝０），ΔＴinSIDE,START（＝０），ΔＴinSIDE,ENDを取得する。引き続き、再生制御部１９２Ａは、当該取得した時間情報、及び、録音時間情報ＲＴＩに基づいて、楽曲＃１の再生開始時刻を「０」にした楽曲再生計画を作成する。
【００８２】
図８には、先行楽曲を楽曲＃１、後続楽曲を楽曲＃２としたときの楽曲作成計画の内容が示されている。第１実施形態では、時刻「τoutSIDE,START＝τinSIDE,START」は、録音時間＃１から「ΔＴoutSIDE,START」を差し引いた値となっている。また、時刻「τoutMID,START＝τinMID,START」は、録音時間＃１から「ΔＴoutMID,START」を差し引いた値となっている。また、時刻「τoutMID,END＝τinMID,END」は、録音時間＃１から「ΔＴoutMID,END」を差し引いた値となっている。さらに、時刻「τoutSIDE,END＝τinSIDE,END」は、録音時間＃１から「ΔＴoutSIDE,END（＝０）」を差し引いた値となっている。
【００８３】
《楽曲コンテンツのクロスフェード再生処理》
次に、再生装置１００Ａによる楽曲コンテンツの楽曲再生処理について説明する。
【００８４】
再生装置１００Ａによる楽曲コンテンツの楽曲再生処理については、入力ユニット１８０に楽曲コンテンツの再生指定が入力され、再生制御部１９２Ａが、当該再生指定を内容とする入力データＩＰＤを受けると開始する。
【００８５】
再生制御部１９２Ａは、当該入力データＩＰＤを受けると、楽曲再生計画に従って、楽曲＃１を指定した再生指令ＰＣ１を生成し、楽曲供給ユニット１２１へ送る（時刻ｔ＝０）。
【００８６】
以下の説明では、再生制御部１９２Ａが、再生指令ＰＣ１を楽曲供給ユニット１２１へ送ったときを時刻「０」として、時刻ｔ＝０以後の楽曲コンテンツの再生処理を、時刻の経過順に説明する。すなわち、以下では、時刻ｔ＝「０」、「τoutSIDE,START＝τinSIDE,START」、「τoutMID,START＝τinMID,START」、「τoutMID,END＝τinMID,END」、「τoutSIDE,END＝τinSIDE,END」の順に（図８参照）、楽曲コンテンツのクロスフェード処理について説明する。
【００８７】
また、時刻ｔ＝０では、再生制御部１９２Ａは、利得「１．０」を指定した第１利得指令ＸＣ１を生成し第１処理部２１１へ送る。また、再生制御部１９２Ａは、時刻ｔ＝０では、利得「１．０」を指定した第２利得指令ＸＣ２を生成し第２処理部２１２へ送る。
【００８８】
楽曲供給ユニット１２１は、当該再生指令ＰＣ１を受けると、音源ユニット１１０から、楽曲音データ＃１を楽曲信号ＭＤ１として読み取り、当該楽曲信号ＭＤ１に基づいて、信号Ｌ１及び信号Ｒ１を生成する。そして、楽曲供給ユニット１２１は、生成された信号Ｌ１及び信号Ｒ１をデジタル処理ユニット１３０へ送る。
【００８９】
デジタル処理ユニット１３０では、抽出部１３１が、信号Ｌ１及び信号Ｒ１から、（１）式により信号Ｍ１を抽出し、（２）式により信号Ｓ１を抽出する。そして、抽出部１３１は、信号Ｍ１を第１処理部２１１へ送り、信号Ｓ１を第２処理部２１２へ送る。
【００９０】
信号Ｍ１を受けた第１処理部２１１は、第１利得指令ＸＣ１（利得「１．０」）に従って、信号Ｍ１を信号ＭＸ１として、ステレオ信号抽出部１３５へ送る。また、信号Ｓ１を受けた第２処理部２１２は、第２利得指令ＸＣ２（利得「１．０」）に従って、信号Ｓ１を信号ＳＸ１として、ステレオ信号抽出部１３５へ送る。
【００９１】
信号ＭＸ１及び信号ＳＸ１を受けたステレオ信号抽出部１３５は、（５）式によりＬチャンネルの信号ＬＣ１（＝信号Ｌ１）を抽出し、（６）式によりＲチャンネルの信号ＲＣ１（＝信号Ｒ１）を抽出する。そして、ステレオ信号抽出部１３５は、信号ＬＣ１を信号加算部１３７Lへ送り、信号ＲＣ１を信号加算部１３７Rへ送る。
【００９２】
信号加算部１３７Lは、ステレオ信号抽出部１３５から送られた信号ＬＣ１を、再生用楽曲Ｌチャンネル信号ＣＬＤとして、アナログ処理ユニット１５０へ送る。また、信号加算部１３７Rは、ステレオ信号抽出部１３５から送られた信号ＲＣ１を、再生用楽曲Ｒチャンネル信号ＣＲＤとして、アナログ処理ユニット１５０へ送る。
【００９３】
アナログ処理ユニット１５０では、ＤＡ変換部、音量調整部及びパワー増幅部が順次処理を行い、再生用Ｌチャンネル信号ＣＬＤ、再生用Ｒチャンネル信号ＣＲＤから出力音声信号ＡＯＳL，ＡＯＳRを生成し、スピーカユニット１６０L，１６０Rへ送る（図１参照）。そして、スピーカユニット１６０L，１６０Rが、アナログ処理ユニット１５０から送られた出力音声信号ＡＯＳL，ＡＯＳRに従って、音声を再生出力する。
【００９４】
（非中央定位の音成分に対する第２期間の処理開始）
この後、時刻「τoutSIDE,START＝τinSIDE,START」になると（図８参照）、再生制御部１９２Ａは、楽曲再生計画に従って、楽曲＃２を指定した再生指令ＰＣ２を生成し、楽曲供給ユニット１２２へ送る。楽曲供給ユニット１２２は、当該再生指令ＰＣ２を受けると、音源ユニット１１０から、楽曲音データ＃２を楽曲信号ＭＤ２として読み取り、当該楽曲信号ＭＤ２に基づいて、信号Ｌ２及び信号Ｒ２を生成する。そして、楽曲供給ユニット１２２は、生成された信号Ｌ２及び信号Ｒ２をデジタル処理ユニット１３０へ送る。
【００９５】
デジタル処理ユニット１３０では、抽出部１３２が、信号Ｌ２及び信号Ｒ２から、（３）式により信号Ｍ２を抽出し、（４）式により信号Ｓ２を抽出する。そして、抽出部１３２は、信号Ｍ２を第３処理部２１３へ送り、信号Ｓ２を第４処理部２１４へ送る。
【００９６】
また、時刻「τoutSIDE,START＝τinSIDE,START」になると、再生制御部１９２Ａは、先行楽曲（楽曲＃１）の非中央定位領域に関する信号Ｓ１のフェードアウト処理を開始するため、クロスフェード処理情報ＸＦＡを参照し、利得ｆoutSIDE（（１１）式）を指定した第２利得指令ＸＣ２を生成し、第２処理部２１２へ送る。また、時刻「τoutSIDE,START＝τinSIDE,START」になると、再生制御部１９２Ａは、後続楽曲（楽曲＃２）の非中央定位領域に関する信号Ｓ２のフェードイン処理を開始するため、利得ｆinSIDE（（１２）式）を指定した第４利得指令ＸＣ４を生成し、第４処理部２１４へ送る。
【００９７】
また、このとき、再生制御部１９２Ａは、利得「１．０」を指定した第１利得指令ＸＣ１を第１処理部２１１へ送り、利得「０」を指定した第３利得指令ＸＣ３を第３処理部２１３へ送る。
【００９８】
このとき、中央定位の音成分については、第１処理部２１１が、信号Ｍ１を信号ＭＸ１として、ステレオ信号抽出部１３５へ送る。また、第３処理部２１３は、信号Ｍ２に利得「０」を乗じて得られた信号ＭＸ２（無音信号）を、ステレオ信号抽出部１３６へ送る。
【００９９】
一方、非中央定位の音成分については、第２処理部２１２が、信号Ｓ１に利得ｆoutSIDEを乗じて得られた信号ＳＸ１を、ステレオ信号抽出部１３５へ送る。また、第４処理部２１４は、信号Ｓ２に利得ｆinSIDEを乗じて得られた信号ＳＸ２を、ステレオ信号抽出部１３６へ送る。
【０１００】
ステレオ信号抽出部１３５は、信号ＭＸ１（＝信号Ｍ１）及び信号ＳＸ１（＝信号Ｓ１×ｆoutSIDE）から、Ｌチャンネルの信号ＬＣ１及びＲチャンネルの信号ＲＣ１を抽出する。そして、ステレオ信号抽出部１３５は、信号ＬＣ１を信号加算部１３７Lへ送り、信号ＲＣ１を信号加算部１３７Rへ送る。
【０１０１】
ステレオ信号抽出部１３６は、信号ＳＸ２（＝信号Ｓ２×ｆinSIDE）から、Ｌチャンネルの信号ＬＣ２及びＲチャンネルの信号ＲＣ２を抽出する。そして、ステレオ信号抽出部１３６は、信号ＬＣ２を信号加算部１３７Lへ送り、信号ＲＣ２を信号加算部１３７Rへ送る。
【０１０２】
信号加算部１３７Lは、ステレオ信号抽出部１３５から送られた信号ＬＣ１及びステレオ信号抽出部１３６から送られた信号ＬＣ２を加算して、再生用楽曲Ｌチャンネル信号ＣＬＤを生成して、アナログ処理ユニット１５０へ送る。また、信号加算部１３７Rは、ステレオ信号抽出部１３５から送られた信号ＲＣ１及びステレオ信号抽出部１３６から送られた信号ＲＣ２を加算して、再生用楽曲Ｒチャンネル信号ＣＲＤを生成して、アナログ処理ユニット１５０へ送る。
【０１０３】
この後、アナログ処理ユニット１５０により、出力音声信号ＡＯＳL，ＡＯＳRが生成される。そして、スピーカユニット１６０L，１６０Rが、出力音信号ＡＯＳL，ＡＯＳRに従って、音声を再生出力する。
【０１０４】
（中央定位の音成分に対する第１期間の処理開始）
この後、時刻「τoutMID,START＝τinMID,START」になると（図８参照）、再生制御部１９２Ａは、先行楽曲（楽曲＃１）の中央定位領域に関する信号Ｍ１のフェードアウト処理を開始するため、クロスフェード処理情報ＸＦＡを参照し、利得ｆoutMID（（９）式）を指定した第１利得指令ＸＣ１を生成し、第１処理部２１１へ送る。また、時刻「τoutMID,START＝τinMID,START」になると、再生制御部１９２Ａは、後続楽曲（楽曲＃２）の中央定位領域に関する信号Ｍ２のフェードイン処理を開始するため、利得ｆinMID（（１０）式）を指定した第３利得指令ＸＣ３を生成し、第３処理部２１３へ送る。
【０１０５】
また、このとき、再生制御部１９２Ａは、利得ｆoutSIDEを指定した第２利得指令ＸＣ２を第２処理部２１２へ送り、利得ｆinSIDEを指定した第４利得指令ＸＣ４を第４処理部２１４へ送っている。
【０１０６】
中央定位の音成分については、第１処理部２１１が、信号Ｍ１に利得ｆoutMIDを乗じて得られた信号ＭＸ１を、ステレオ信号抽出部１３５へ送る。また、信号Ｍ２を受けた第３処理部２１３は、信号Ｍ２に利得ｆinMIDを乗じて得られた信号ＭＸ２を、ステレオ信号抽出部１３６へ送る。
【０１０７】
一方、非中央定位の音成分については、第２処理部２１２が、信号Ｓ１に利得ｆoutSIDEを乗じて得られた信号ＳＸ１を、ステレオ信号抽出部１３５へ送る。また、第４処理部２１４は、信号Ｓ２に利得ｆinSIDEを乗じて得られた信号ＳＸ２を、ステレオ信号抽出部１３６へ送る。
【０１０８】
ステレオ信号抽出部１３５は、信号ＭＸ１（＝信号Ｍ１×ｆoutMID）及び信号ＳＸ１（＝信号Ｓ１×ｆoutSIDE）から、Ｌチャンネルの信号ＬＣ１及びＲチャンネルの信号ＲＣ１を抽出する。そして、ステレオ信号抽出部１３５は、信号ＬＣ１を信号加算部１３７Lへ送り、信号ＲＣ１を信号加算部１３７Rへ送る。
【０１０９】
ステレオ信号抽出部１３６は、信号ＭＸ２（＝信号Ｍ２×ｆinMID）及び信号ＳＸ２（＝信号Ｓ２×ｆinSIDE）から、Ｌチャンネルの信号ＬＣ２及びＲチャンネルの信号ＲＣ２を抽出する。そして、ステレオ信号抽出部１３６は、信号ＬＣ２を信号加算部１３７Lへ送り、信号ＲＣ２を信号加算部１３７Rへ送る。
【０１１０】
信号加算部１３７Lは、ステレオ信号抽出部１３５から送られた信号ＬＣ１及びステレオ信号抽出部１３６から送られた信号ＬＣ２を加算して、再生用楽曲Ｌチャンネル信号ＣＬＤを生成して、アナログ処理ユニット１５０へ送る。また、信号加算部１３７Rは、ステレオ信号抽出部１３５から送られた信号ＲＣ１及びステレオ信号抽出部１３６から送られた信号ＲＣ２を加算して、再生用楽曲Ｒチャンネル信号ＣＲＤを生成して、アナログ処理ユニット１５０へ送る。
【０１１１】
この後、アナログ処理ユニット１５０により、出力音声信号ＡＯＳL，ＡＯＳRが生成される。そして、スピーカユニット１６０L，１６０Rが、出力音信号ＡＯＳL，ＡＯＳRに従って、音声を再生出力する。
【０１１２】
（中央定位の音成分に対する第１期間の処理終了）
この後、時刻「τoutMID,END＝τinMID,END」になると（図８参照）、再生制御部１９２Ａは、先行楽曲（楽曲＃１）の中央定位領域に関する信号Ｍ１のフェードアウト処理を終了するため、利得「０」を指定した第１利得指令ＸＣ１を生成し、第１処理部２１１へ送る。また、時刻「τoutMID,END＝τinMID,END」になると、再生制御部１９２Ａは、後続楽曲（楽曲＃２）の中央定位領域に関する信号Ｍ２のフェードイン処理を終了するため、利得「１．０」を指定した第３利得指令ＸＣ３を生成し、第３処理部２１３へ送る。
【０１１３】
また、このとき、再生制御部１９２Ａは、利得ｆoutSIDEを指定した第２利得指令ＸＣ２を第２処理部２１２へ送り、利得ｆinSIDEを指定した第４利得指令ＸＣ４を第４処理部２１４へ送っている。
【０１１４】
中央定位の音成分については、第１処理部２１１は、信号Ｍ１に利得「０」を乗じて得られた信号ＭＸ１（無音信号）を、ステレオ信号抽出部１３５へ送る。また、信号Ｍ２を受けた第３処理部２１３は、信号Ｍ２を信号ＭＸ２として、ステレオ信号抽出部１３６へ送る。
【０１１５】
一方、非中央定位の音成分については、第２処理部２１２が、信号Ｓ１に利得ｆoutSIDEを乗じて得られた信号ＳＸ１を、ステレオ信号抽出部１３５へ送る。また、信号Ｓ２を受けた第４処理部２１４は、信号Ｓ２に利得ｆinSIDEを乗じて得られた信号ＳＸ２を、ステレオ信号抽出部１３６へ送る。
【０１１６】
ステレオ信号抽出部１３５は、信号ＳＸ１（＝信号Ｓ１×ｆoutSIDE）から、Ｌチャンネルの信号ＬＣ１及びＲチャンネルの信号ＲＣ１を抽出する。そして、ステレオ信号抽出部１３５は、信号ＬＣ１を信号加算部１３７Lへ送り、信号ＲＣ１を信号加算部１３７Rへ送る。
【０１１７】
ステレオ信号抽出部１３６は、信号ＭＸ２（＝信号Ｍ２）及び信号ＳＸ２（＝信号Ｓ２×ｆinSIDE）から、Ｌチャンネルの信号ＬＣ２及びＲチャンネルの信号ＲＣ２を抽出する。そして、ステレオ信号抽出部１３６は、信号ＬＣ２を信号加算部１３７Lへ送り、信号ＲＣ２を信号加算部１３７Rへ送る。
【０１１８】
信号加算部１３７Lは、ステレオ信号抽出部１３５から送られた信号ＬＣ１及びステレオ信号抽出部１３６から送られた信号ＬＣ２を加算して、再生用楽曲Ｌチャンネル信号ＣＬＤを生成して、アナログ処理ユニット１５０へ送る。また、信号加算部１３７Rは、ステレオ信号抽出部１３５から送られた信号ＲＣ１及びステレオ信号抽出部１３６から送られた信号ＲＣ２を加算して、再生用楽曲Ｒチャンネル信号ＣＲＤを生成して、アナログ処理ユニット１５０へ送る。
【０１１９】
この後、アナログ処理ユニット１５０により、出力音声信号ＡＯＳL，ＡＯＳRが生成される。そして、スピーカユニット１６０L，１６０Rが、出力音信号ＡＯＳL，ＡＯＳRに従って、音声を再生出力する。
【０１２０】
（非中央定位の音成分に対する第２期間の処理終了）
この後、時刻「τoutSIDE,END＝τinSIDE,END」になると（図８参照）、再生制御部１９２Ａは、先行楽曲（楽曲＃１）の非中央定位領域に関する信号Ｓ１のフェードアウト処理を終了する（楽曲＃１の再生終了）。また、時刻「τoutSIDE,END＝τinSIDE,END」になると、再生制御部１９２Ａは、後続楽曲（楽曲＃２）の非中央定位領域に関する信号Ｓ２のフェードイン処理を終了するため、利得「１．０」を指定した第４利得指令ＸＣ４を生成し、第４処理部２１４へ送る。
【０１２１】
また、このとき、再生制御部１９２Ａは、利得「１．０」を指定した第３利得指令ＸＣ３を第３処理部２１３へ送っている。
【０１２２】
中央定位の音成分については、第３処理部２１３が、信号Ｍ２を信号ＭＸ２として、ステレオ信号抽出部１３６へ送る。一方、非中央定位の音成分については、第４処理部２１４が、信号Ｓ２を信号ＳＸ２として、ステレオ信号抽出部１３６へ送る。
【０１２３】
ステレオ信号抽出部１３６は、信号ＭＸ２（＝信号Ｍ２）及び信号ＳＸ２（＝信号Ｓ２）から、Ｌチャンネルの信号ＬＣ２及びＲチャンネルの信号ＲＣ２を抽出する。そして、ステレオ信号抽出部１３６は、信号ＬＣ２を信号加算部１３７Lへ送り、信号ＲＣ２を信号加算部１３７Rへ送る。
【０１２４】
信号加算部１３７Lは、ステレオ信号抽出部１３６から送られた信号ＬＣ２を、再生用楽曲Ｌチャンネル信号ＣＬＤとして、アナログ処理ユニット１５０へ送る。また、信号加算部１３７Rは、ステレオ信号抽出部１３６から送られた信号ＲＣ２を、再生用楽曲Ｒチャンネル信号ＣＲＤとして、アナログ処理ユニット１５０へ送る。
【０１２５】
この後、アナログ処理ユニット１５０により、出力音声信号ＡＯＳL，ＡＯＳRが生成される。そして、スピーカユニット１６０L，１６０Rが、出力音信号ＡＯＳL，ＡＯＳRに従って、音声を再生出力する。
【０１２６】
図９には、上述のようにして実行された楽曲コンテンツのクロスフェード再生処理のタイミングが示されている。
【０１２７】
以上説明したように、第１実施形態では、楽曲供給ユニット１２１が、楽曲信号ＭＤ１から楽曲Ｌチャンネル信号Ｌ１及び楽曲Ｒチャンネル信号Ｒ１を生成し、楽曲供給ユニット１２２が、楽曲信号ＭＤ２から楽曲Ｌチャンネル信号Ｌ２及び楽曲Ｒチャンネル信号Ｒ２を生成する。次に、抽出部１３１が、楽曲Ｌチャンネル信号Ｌ１及び楽曲Ｒチャンネル信号Ｒ１から、中央定位の音成分の信号Ｍ１、及び、非中央定位の音成分の信号Ｓ１を抽出する。また、抽出部１３２が、楽曲Ｌチャンネル信号Ｌ２及び楽曲Ｒチャンネル信号Ｒ２から、中央定位の音成分の信号Ｍ２、及び、非中央定位の音成分の信号Ｓ２を抽出する。
【０１２８】
そして、先行楽曲と後続楽曲とのクロスフェード再生を行うに際して、再生制御部１９２Ａによる制御のもとで、クロスフェード処理部１３３が、中央定位領域に関する音成分の信号（Ｍ１，Ｍ２）及び非中央定位領域に関する音成分の信号（Ｓ１，Ｓ２）のそれぞれに対して、先行楽曲のフェードアウト処理を行い、後続楽曲のフェードイン処理を行う。
【０１２９】
かかるフェードアウト処理及びフェードイン処理の制御に際して、再生制御部１９２Ａは、中央定位領域に関するフェードアウト処理の開始からフェードイン処理の終了までの第１期間の第１期間長を、非中央定位領域に関するフェードアウト処理の開始からフェードイン処理の終了までの第２期間の第２期間長より短くし、かつ、第１期間を第２期間の期間内にする。また、かかる制御に際して、非中央定位領域に関するフェードアウト処理を、非中央定位領域に関するフェードイン処理の開始後に終了させるようにして、クロスフェード再生を行うようにする。また、かかる制御に際して、中央定位領域に関するフェードアウト処理を、中央定位領域に関するフェードイン処理の開始後に終了させるようにして、クロスフェード再生を行うようする。
【０１３０】
このように、第１実施形態では、クロスフェード再生による先行楽曲から後続楽曲への切り替えに際し、中央定位領域に関する音成分の切り替えの長さを、非中央定位領域に関する音成分の切り替えの長さに比べて、はやくしている。
【０１３１】
このため、第１実施形態では、中央定位領域において、音楽的な調和が崩れることを抑制することができる。
【０１３２】
また、第２期間を第１期間より長くすることで、非中央定位領域に関する音成分のクロスフェード再生によって、臨場感を付与することができる。
【０１３３】
したがって、第１実施形態によれば、複数チャンネルの楽曲に対してクロスフェード再生を行ったときに、クロスフェード期間において、聴感上の違和感の発生を抑制することができる。
【０１３４】
［第２実施形態］
本発明の第２実施形態を、図１０〜図１４を参照して説明する。
【０１３５】
＜構成＞
第２実施形態に係る再生装置は、上述した第１実施形態の再生装置１００Ａと比べて、制御ユニット１９０Ａに代えて、図１０に示される構成の制御ユニット１９０Ｂを備える点が異なっている。なお、以下の説明においては、第２実施形態の再生装置を「再生装置１００Ｂ」と記す。
【０１３６】
図１０に示されるように、制御ユニット１９０Ｂは、上述した制御ユニット１９０Ａと比べて、記憶部１９１Ａに代えて記憶部１９１Ｂを備える点、再生制御部１９２Ａに代えて再生制御部１９２Ｂを備える点が異なっている。
【０１３７】
上記の記憶部１９１Ｂは、不揮発性の記憶素子を備えて構成される。第２実施形態では、記憶部１９１Ｂには、録音時間情報ＲＴＩ、解析情報ＡＮＩ及びクロスフェード処理情報ＸＦＢが含まれる。
【０１３８】
上記の解析情報ＡＮＩには、図１１に示されるように、楽曲コンテンツ＃ｐ（ｐ＝１，２，…，Ｐ）ごとに、楽曲＃ｐの先頭部分における中央定位領域（ＭＩＤ）に関する音成分の解析情報ＡＮＩ＃ｐMID,START、及び、楽曲＃ｐの終盤部分における中央定位領域（ＭＩＤ）に関する音成分の解析情報ＡＮＩ＃ｐMID,ENDが含まれている。また、解析情報ＡＮＩには、楽曲コンテンツ＃ｐごとに、楽曲＃ｐの先頭部分における非中央定位領域（ＳＩＤＥ）に関する音成分の解析情報ＡＮＩ＃ｐSIDE,START、及び、楽曲＃ｐの終盤部分における非中央定位領域（ＳＩＤＥ）に関する音成分の解析情報ＡＮＩ＃ｐSIDE,ENDが含まれている。
【０１３９】
なお、再生順番が１番の楽曲コンテンツ＃１については、終盤部分の解析情報ＡＮＩ＃１MID,END，ＡＮＩ＃１SIDE,ENDのみが含まれている。また、再生順番が最後の楽曲コンテンツ＃Ｐについては、先頭部分の解析情報ＡＮＩ＃ＰMID,START，ＡＮＩ＃ＰSIDE,STARTのみが含まれている。第２実施形態では、解析情報は、スペクトル包絡やスペクトル微細構造、調波構造などの楽曲の印象や音楽的調和を表す音色情報となっている。当該解析情報ＡＮＩは、再生制御部１９２Ｂにより生成され、記憶部１９１Ｂ内に格納される。
【０１４０】
上記のクロスフェード処理情報ＸＦＢには、図１２に示されるように、楽曲コンテンツ＃ｑ〜楽曲コンテンツ＃（ｑ＋１）（ｑ＝１，２，…，Ｐ−１）ごとの、第１期間処理情報＃ｑ〜＃（ｑ＋１）と第２期間処理情報＃ｑ〜＃（ｑ＋１）とが含まれている。
【０１４１】
ここで、第１期間処理情報＃ｑ〜＃（ｑ＋１）は、中央定位領域に関する音成分について、楽曲＃ｑ（先行楽曲）のフェードアウト処理の開始から、楽曲＃（ｑ＋１）（後続楽曲）のフェードイン処理の終了までの第１期間の処理態様に関する情報となっている。当該第１期間処理情報＃ｑ〜＃（ｑ＋１）には、上述した（ａ１）〜（ｇ１）の情報が含まれている。
【０１４２】
また、第２期間処理情報＃ｑ〜＃（ｑ＋１）は、非中央定位領域に関する音成分について、楽曲＃ｑ（先行楽曲）のフェードアウト処理の開始から、楽曲＃（ｑ＋１）（後続楽曲）のフェードイン処理の終了までの第２期間の処理態様に関する情報となっている。当該第２期間処理情報＃ｑ〜＃（ｑ＋１）には、上述した（ａ２）〜（ｇ２）の情報が含まれている。当該クロスフェード処理情報ＸＦＢは、再生制御部１９２Ｂにより決定され、記憶部１９１Ｂ内に格納する。
【０１４３】
図１０に戻り、上記の再生制御部１９２Ｂは、第１実施形態の再生制御部１９２Ａと同様に、録音時間情報ＲＴＩを作成する。
【０１４４】
また、再生制御部１９２Ｂは、解析情報ＡＮＩを作成する。かかる解析情報ＡＮＩの作成に際して、再生制御部１９２Ｂは、楽曲＃１、楽曲＃２、…、楽曲＃Ｐの楽曲音データの先頭部分における中央定位領域に関する音成分の信号（Ｍ１，Ｍ２）を、デジタル処理ユニット１３０から受ける。そして、再生制御部１９２Ｂは、当該信号の音色を解析して、解析情報ＡＮＩ＃ｐMID,STARTを作成する。また、再生制御部１９２Ｂは、楽曲＃１、楽曲＃２、…、楽曲＃Ｐの楽曲音データの終盤部分における中央定位領域に関する音成分の信号（Ｍ１，Ｍ２）を、デジタル処理ユニット１３０から受ける。そして、再生制御部１９２Ｂは、当該信号の音色を解析して、解析情報ＡＮＩ＃ｐMID,ENDを作成する。
【０１４５】
また、再生制御部１９２Ｂは、楽曲＃１、楽曲＃２、…、楽曲＃Ｐの楽曲音データの先頭部分における非中央定位領域に関する音成分の信号（Ｓ１，Ｓ２）を、デジタル処理ユニット１３０から受ける。そして、再生制御部１９２Ｂは、当該信号の音色を解析して、解析情報ＡＮＩ＃ｐSIDE,STARTを作成する。また、再生制御部１９２Ｂは、楽曲＃１、楽曲＃２、…、楽曲＃Ｐの楽曲音データの終盤部分における非中央定位領域に関する音成分の信号（Ｓ１，Ｓ２）を、デジタル処理ユニット１３０から受ける。そして、再生制御部１９２Ｂは、当該信号の音色を解析して、解析情報ＡＮＩ＃ｐSIDE,ENDを作成する。
【０１４６】
再生制御部１９２Ｂは、これらの解析情報ＡＮＩ＃ｐMID,START，ＡＮＩ＃ｐMID,END，ＡＮＩ＃ｐSIDE,START，ＡＮＩ＃ｐSIDE,ENDを作成すると記憶部１９１Ｂ内に格納する。
【０１４７】
また、再生制御部１９２Ｂは、クロスフェード処理情報ＸＦＢを作成する。かかるクロスフェード処理情報ＸＦＢの作成に際して、再生制御部１９２Ｂは、楽曲＃ｑの終盤部分における中央定位領域に関する音成分の解析情報ＡＮＩ＃ｑMID,END（第１解析情報）、及び、楽曲＃（ｑ＋１）の先頭部分における中央定位領域に関する音成分の解析情報ＡＮＩ＃（ｑ＋１）MID,START（第２解析情報）に基づいて、第１期間処理情報＃ｑ〜＃（ｑ＋１）を決定して作成する。
【０１４８】
また、再生制御部１９２Ｂは、楽曲＃ｑの終盤部分における非中央定位領域に関する音成分の解析情報ＡＮＩ＃ｑSIDE,END（第３解析情報）、及び、楽曲＃（ｑ＋１）の先頭部分における非中央定位領域に関する音成分の解析情報ＡＮＩ＃（ｑ＋１）SIDE,START（第４解析情報）に基づいて、第２期間処理情報＃ｑ〜＃（ｑ＋１）を決定して作成する。
【０１４９】
当該第１期間処理情報＃ｑ〜＃（ｑ＋１）及び第２期間処理情報＃ｑ〜＃（ｑ＋１）の作成に際して、再生制御部１９２Ｂは、解析情報ＡＮＩ＃ｑMID,END（第１解析情報）と解析情報ＡＮＩ＃（ｑ＋１）MID,START（第２解析情報）とを比較して、第１音色類似度を算出する。また、再生制御部１９２Ｂは、解析情報ＡＮＩ＃ｑSIDE,END（第３解析情報）と解析情報ＡＮＩ＃（ｑ＋１）SIDE,START（第４解析情報）とを比較して、第２音色類似度を算出する。ここで、音色類似度が高いほど、比較される解析情報同士の類似の度合いが高くなる。
【０１５０】
そして、再生制御部１９２Ｂは、（ｉ）第１音色類似度が第１閾値未満であり、第２音色類似度が第２閾値以上の場合には、第１期間の期間長を第２期間の期間長より短くし、中央定位領域に関するフェードアウト処理を中央定位領域に関するフェードイン処理の開始前に終了させる第１期間処理情報＃ｑ〜＃（ｑ＋１）を作成する。また、第１音色類似度が第１閾値未満であり、第２音色類似度が第２閾値以上の場合には、再生制御部１９２Ｂは、非中央定位領域に関するフェードアウト処理を非中央定位領域に関するフェードイン処理の開始後に終了させる第２期間処理情報＃ｑ〜＃（ｑ＋１）を作成する。
【０１５１】
図１３には、（ｉ）の条件を満たすときの第１期間処理情報及び第２期間処理情報により実行される楽曲のクロスフェード再生処理のタイミングの例が示されている。ここで、第１閾値及び第２閾値は、中央定位領域に関する音成分に対してクロスフェード再生を行った際に発生する聴感上の違和感を抑制する観点から、実験、シミュレーション、経験等に基づいて、予め定められる。
【０１５２】
ここで、図１３に示される利得関数ｇoutMID（ｔ−τoutMID,START）は予め定められた関数であり、ｇoutMID（０）＝１、ｇoutMID（τoutMID,END−τoutMID,START）＝０となっている。また、ｇinMID（ｔ−τinMID,START）は予め定められた関数であり、ｇinMID（０）＝０、ｇinMID（τinMID,END−τinMID,START）＝１となっている。また、ｇoutSIDE（ｔ−τoutSIDE,START）は予め定められた関数であり、ｇoutSIDE（０）＝１、ｇoutSIDE（τoutSIDE,END−τoutSIDE,START）＝０となっている。さらに、ｇinSIDE（ｔ−τinSIDE,START）は予め定められた関数であり、ｇinSIDE（０）＝０、ｇinSIDE（τinSIDE,END−τinSIDE,START）＝１となっている。
【０１５３】
また、再生制御部１９２Ｂは、（ii）第１音色類似度が第３閾値以上であり、第２音色類似度が第４閾値未満の場合には、第１期間の期間長を第２期間の期間長より長くし、中央定位領域に関するフェードアウト処理を中央定位領域に関するフェードイン処理の開始後に終了させる第１期間処理情報＃ｑ〜＃（ｑ＋１）を作成する。また、第１音色類似度が第３閾値以上であり、第２音色類似度が第４閾値未満の場合には、再生制御部１９２Ｂは、非中央定位領域に関するフェードアウト処理を非中央低域領域に関するフェードイン処理の開始前に終了させる第２期間処理情報＃ｑ〜＃（ｑ＋１）を作成する。
【０１５４】
図１４には、（ii）の条件を満たすときの第１期間処理情報及び第２期間処理情報により実行される楽曲のクロスフェード再生処理のタイミングが示されている。ここで、第３閾値及び第４閾値は、非中央定位領域に関する音成分に対してクロスフェード再生を行った際に発生する聴感上の違和感を抑制する観点から、実験、シミュレーション、経験等に基づいて、予め定められる。
【０１５５】
ここで、図１４に示される利得関数ｈoutMID（ｔ−τoutMID,START）は予め定められた関数であり、ｈoutMID（０）＝１、ｈoutMID（τoutMID,END−τoutMID,START）＝０となっている。また、ｈinMID（ｔ−τinMID,START）は予め定められた関数であり、ｈinMID（０）＝０、ｈinMID（τinMID,END−τinMID,START）＝１となっている。また、ｈoutSIDE（ｔ−τoutSIDE,START）は予め定められた関数であり、ｈoutSIDE（０）＝１、ｈoutSIDE（τoutSIDE,END−τoutSIDE,START）＝０となっている。さらに、ｈinSIDE（ｔ−τinSIDE,START）は予め定められた関数であり、ｈinSIDE（０）＝０、ｈinSIDE（τinSIDE,END−τinSIDE,START）＝１となっている。
【０１５６】
なお、第２実施形態では、第１音色類似度及び第２音色類似度が、上述した（ｉ）又は（ii）の条件を満たさず、かつ、第１音色類似度及び第２音色類似度に基づいて、先行楽曲及び後続楽曲の中央定位の音成分及び非中央定位の音成分の双方が類似していると評価できる場合には、第１期間の期間長を第２期間の期間長より短くし、中央定位領域に関するフェードアウト処理を中央定位領域に関するフェードイン処理の開始後に終了させる第１期間処理情報＃ｑ〜＃（ｑ＋１）を作成する。また、上述した（ｉ）又は（ii）の条件を満たさず、かつ、第１音色類似度及び第２音色類似度に基づいて、先行楽曲及び後続楽曲の中央定位の音成分及び非中央定位の音成分の双方が類似していると評価できる場合には、再生制御部１９２Ｂは、非中央定位領域に関するフェードアウト処理を非中央定位領域に関するフェードイン処理の開始後に終了させる第２期間処理情報＃ｑ〜＃（ｑ＋１）を作成する（上述した図９参照）。
【０１５７】
また、第１音色類似度及び第２音色類似度が、上述した（ｉ）又は（ii）の条件を満たさず、かつ、第１音色類似度及び第２音色類似度に基づいて、先行楽曲及び後続楽曲の中央定位の音成分及び非中央定位の音成分の双方が類似していないと評価できる場合には、中央定位領域に関するフェードアウト処理を中央定位領域に関するフェードイン処理の開始前に終了させる第１期間処理情報＃ｑ〜＃（ｑ＋１）を作成し、非中央定位領域に関するフェードアウト処理を非中央定位領域に関するフェードイン処理の開始後に終了させる第２期間処理情報＃ｑ〜＃（ｑ＋１）を作成するようになっている。
【０１５８】
また、再生制御部１９２Ｂは、録音時間情報ＲＴＩ及びクロスフェード処理情報ＸＦＢに基づいて、楽曲コンテンツの楽曲再生計画を作成して内部に保持する。
【０１５９】
また、再生制御部１９２Ｂは、入力部１８０から送られた入力データＩＰＤを受ける。当該入力データＩＰＤの内容が楽曲コンテンツの再生指定である場合には、再生制御部１９２Ｂは、楽曲再生計画に従って、再生指令ＰＣ１を生成して楽曲供給ユニット１２１へ送り、再生指令ＰＣ２を生成して楽曲供給ユニット１２２へ送る。
【０１６０】
また、再生制御部１９２Ｂは、利得指令ＸＣを生成してクロスフェード処理部１３３へ送り、楽曲コンテンツの再生制御を行う。再生制御部１９２Ｂによる再生制御処理の詳細については、後述する。
【０１６１】
＜動作＞
以上のようにして構成された再生装置１００Ｂの動作について、楽曲のクロスフェード再生の処理に主に着目して説明する。
【０１６２】
以下の説明では、先行楽曲を楽曲＃１、後続楽曲を楽曲＃２として、楽曲＃１及び楽曲＃２のクロスフェード再生の制御に着目して説明する。
【０１６３】
前提として、再生制御部１９２Ｂは、楽曲録音情報ＲＴＩ、解析処理情報ＡＮＩ及びクロスフェード処理情報ＸＦＢを作成し、記憶部１８１Ｂ内に格納しているものとする。また、再生制御部１９２Ｂは、録音時間情報ＲＴＩ及びクロスフェード処理情報ＸＦＢに基づいて、楽曲コンテンツの楽曲再生計画を作成しているものとする。
【０１６４】
こうした状況のもとで、入力ユニット１８０に楽曲コンテンツの再生指定が入力され、再生制御部１９２Ｂが、当該再生指定を内容とする入力データＩＰＤを受けると開始する。
【０１６５】
《楽曲コンテンツのクロスフェード再生処理（ｉ）》
まず、上述した（ｉ）の条件のもとで作成された第１期間処理情報＃１〜＃２及び第２期間処理情報＃１〜＃２（図１３参照）に基づく、再生制御部１９２Ｂによる楽曲コンテンツのクロスフェード再生処理の制御について説明する。
【０１６６】
再生制御部１９２Ｂは、当該入力データＩＰＤを受けると、楽曲再生計画に従って、楽曲＃１を指定した再生指令ＰＣ１を生成し、楽曲供給ユニット１２１へ送る（時刻ｔ＝０）。
【０１６７】
以下の説明では、再生制御部１９２Ｂが、再生指令ＰＣ１を楽曲供給ユニット１２１へ送ったときを時刻「０」として、時刻ｔ＝０以後の楽曲コンテンツの再生処理の制御を、時刻の経過順に説明する。すなわち、以下では、時刻ｔ＝「０」、「τoutSIDE,START＝τinSIDE,START」、「τoutMID,START」、「τoutMID,END」、「τinMID,START」、「τinMID,END」、「τoutSIDE,END＝τinSIDE,END」の順に（図１３参照）、楽曲コンテンツのクロスフェード処理の制御について説明する。
【０１６８】
また、時刻ｔ＝０では、再生制御部１９２Ｂは、利得「１．０」を指定した第１利得指令ＸＣ１を生成し第１処理部２１１へ送る。また、再生制御部１９２Ｂは、時刻ｔ＝０では、利得「１．０」を指定した第２利得指令ＸＣ２を生成し第２処理部２１２へ送る。
【０１６９】
楽曲供給ユニット１２１は、当該再生指令ＰＣ１を受けると、音源ユニット１１０から、楽曲音データ＃１を楽曲信号ＭＤ１として読み取り、信号Ｌ１及び信号Ｒ１を生成する。そして、楽曲供給ユニット１２１は、生成された信号Ｌ１及び信号Ｒ１をデジタル処理ユニット１３０へ送る。
【０１７０】
デジタル処理ユニット１３０では、抽出部１３１が、信号Ｌ１及び信号Ｒ１から、信号Ｍ１及び信号Ｓ１を抽出する。そして、抽出部１３１は、信号Ｍ１を第１処理部２１１へ送り、信号Ｓ１を第２処理部２１２へ送る。
【０１７１】
第１処理部２１１は、第１利得指令ＸＣ１（利得「１．０」）に従って、信号Ｍ１を信号ＭＸ１として、ステレオ信号抽出部１３５へ送る。また、第２処理部２１２は、第２利得指令ＸＣ２（利得「１．０」）に従って、信号Ｓ１を信号ＳＸ１として、ステレオ信号抽出部１３５へ送る。
【０１７２】
以後、ステレオ信号抽出部１３５、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０１７３】
（非中央定位の音成分に対する第２期間の処理開始）
この後、時刻「τoutSIDE,START＝τinSIDE,START」になると（図１３参照）、再生制御部１９２Ｂは、楽曲＃２を指定した再生指令ＰＣ２を生成し、楽曲供給ユニット１２２へ送る。楽曲供給ユニット１２２は、当該再生指令ＰＣ２を受けると、音源ユニット１１０から、楽曲音データ＃２を楽曲信号ＭＤ２として読み取り、信号Ｌ２及び信号Ｒ２を生成する。そして、楽曲供給ユニット１２２は、生成された信号Ｌ２及び信号Ｒ２をデジタル処理ユニット１３０へ送る。
【０１７４】
デジタル処理ユニット１３０では、抽出部１３２が、信号Ｌ２及び信号Ｒ２から、信号Ｍ２及び信号Ｓ２を抽出する。そして、抽出部１３２は、信号Ｍ２を第３処理部２１３へ送り、信号Ｓ２を第４処理部２１４へ送る。
【０１７５】
また、時刻「τoutSIDE,START＝τinSIDE,START」になると、再生制御部１９２Ｂは、先行楽曲（楽曲＃１）の非中央定位領域に関する信号Ｓ１のフェードアウト処理を開始するため、利得ｇoutSIDEを指定した第２利得指令ＸＣ２を生成し、第２処理部２１２へ送る。また、時刻「τoutSIDE,START＝τinSIDE,START」になると、再生制御部１９２Ｂは、後続楽曲（楽曲＃２）の非中央定位領域に関する信号Ｓ２のフェードイン処理を開始するため、利得ｇinSIDEを指定した第４利得指令ＸＣ４を生成し、第４処理部２１４へ送る。
【０１７６】
また、このとき、再生制御部１９２Ｂは、利得「１」を指定した第１利得指令ＸＣ１を第１処理部２１１へ送り、利得「０」を指定した第３利得指令ＸＣ３を第３処理部２１３へ送る。
【０１７７】
このとき、中央定位の音成分については、第１処理部２１１が、信号Ｍ１を信号ＭＸ１として、ステレオ信号抽出部１３５へ送る。
【０１７８】
一方、非中央定位の音成分については、第２処理部２１２が、信号Ｓ１に利得ｇoutSIDEを乗じて得られた信号ＳＸ１を、ステレオ信号抽出部１３５へ送る。また、第４処理部２１４は、信号Ｓ２に利得ｇinSIDEを乗じて得られた信号ＳＸ２を、ステレオ信号抽出部１３６へ送る。すなわち、非中央定位領域に関する音成分は、クロスフェード再生される。
【０１７９】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０１８０】
（中央定位の音成分に対する第１期間の処理開始）
この後、時刻「τoutMID,START」になると（図１３参照）、再生制御部１９２Ｂは、先行楽曲（楽曲＃１）の中央定位領域に関する信号Ｍ１のフェードアウト処理を開始するため、利得ｇoutMIDを指定した第１利得指令ＸＣ１を生成し、第１処理部２１１へ送る。
【０１８１】
なお、このとき、再生制御部１９２Ｂは、利得ｇoutSIDEを指定した第２利得指令ＸＣ２を第２処理部２１２へ送っている。
【０１８２】
中央定位の音成分については、第１処理部２１１が、信号Ｍ１に利得ｇoutMIDを乗じて得られた信号ＭＸ１を、ステレオ信号抽出部１３５へ送る。一方、非中央定位の音成分については、第２処理部２１２が、信号Ｓ１に利得ｇoutSIDEを乗じて得られた信号ＳＸ１を、ステレオ信号抽出部１３５へ送る。また、非中央定位の音成分については、第４処理部２１４が、信号Ｓ２に利得ｇinSIDEを乗じて得られた信号ＳＸ２を、ステレオ信号抽出部１３６へ送る。
【０１８３】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０１８４】
（中央定位の音成分のフェードアウト終了）
この後、時刻「τoutMID,END」になると（図１３参照）、再生制御部１９２Ｂは、先行楽曲（楽曲＃１）の中央定位領域に関する信号Ｍ１のフェードアウト処理を終了するため、利得「０」を指定した第１利得指令ＸＣ１を生成し、第１処理部２１１へ送る。
【０１８５】
また、このとき、再生制御部１９２Ｂは、利得「０」を指定した第３利得指令ＸＣ３を第３処理部２１３へ送っている。また、このとき、再生制御部１９２Ｂは、利得ｇoutSIDEを指定した第２利得指令ＸＣ２を第２処理部２１２へ送り、利得ｇinSIDEを指定した第４利得指令ＸＣ４を第４処理部２１４へ送っている。
【０１８６】
このとき、中央定位領域に関する音成分は、再生されない。一方、非中央定位の音成分については、第２処理部２１２が、信号Ｓ１に利得ｇoutSIDEを乗じて得られた信号ＳＸ１を、ステレオ信号抽出部１３５へ送る。また、第４処理部２１４は、信号Ｓ２に利得ｇinSIDEを乗じて得られた信号ＳＸ２を、ステレオ信号抽出部１３６へ送る。
【０１８７】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する
【０１８８】
（中央定位の音成分のフェードイン開始）
この後、時刻「τinMID,START」になると（図１３参照）、再生制御部１９２Ｂは、後続楽曲（楽曲＃２）の中央定位領域に関する信号Ｍ２のフェードイン処理を開始するため、利得ｇinMIDを指定した第３利得指令ＸＣ３を生成し、第３処理部２１３へ送る。
【０１８９】
また、このとき、再生制御部１９２Ｂは、利得「０」を指定した第１利得指令ＸＣ１を第１処理部２１１へ送っている。また、このとき、再生制御部１９２Ｂは、利得ｇoutSIDEを指定した第２利得指令ＸＣ２を第２処理部２１２へ送り、利得ｇinSIDEを指定した第４利得指令ＸＣ４を第４処理部２１４へ送っている。
【０１９０】
このとき、中央定位の音成分については、第３処理部２１３が、信号Ｍ２に利得ｇinMIDを乗じて得られた信号ＭＸ２を、ステレオ信号抽出部１３６へ送る。
【０１９１】
一方、非中央定位の音成分については、第２処理部２１２が、信号Ｓ１に利得ｇoutSIDEを乗じて得られた信号ＳＸ１を、ステレオ信号抽出部１３５へ送る。また、第４処理部２１４は、信号Ｓ２に利得ｇinSIDEを乗じて得られた信号ＳＸ２を、ステレオ信号抽出部１３６へ送る。
【０１９２】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０１９３】
（中央定位の音成分に対する第１期間の処理終了）
この後、時刻「τinMID,END」になると（図１３参照）、再生制御部１９２Ｂは、後続楽曲（楽曲＃２）の中央定位領域に関する信号Ｍ２のフェードイン処理を終了するため、利得「１．０」を指定した第３利得指令ＸＣ３を生成し、第３処理部２１３へ送る。
【０１９４】
また、このとき、再生制御部１９２Ｂは、利得ｇoutSIDEを指定した第２利得指令ＸＣ２を第２処理部２１２へ送っている。再生制御部１９２Ｂは、利得ｇinSIDEを指定した第４利得指令ＸＣ４を第４処理部２１４へ送っている。
【０１９５】
中央定位の音成分については、第３処理部２１３が、信号Ｍ２を信号ＭＸ２として、ステレオ信号抽出部１３６へ送る。一方、非中央定位の音成分については、第２処理部２１２が、信号Ｓ１に利得ｇoutSIDEを乗じて信号ＳＸ１を、ステレオ信号抽出部１３５へ送る。また、非中央定位については、第４処理部２１４は、信号Ｓ２に利得ｇinSIDEを乗じて得られた信号ＳＸ２を、ステレオ信号抽出部１３６へ送る。
【０１９６】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０１９７】
（非中央定位の音成分に対する第２期間の処理終了）
この後、時刻「τoutSIDE,END＝τinSIDE,END」になると（図１３参照）、再生制御部１９２Ｂは、先行楽曲（楽曲＃１）の非中央定位領域に関する信号Ｓ１のフェードアウト処理を終了する（楽曲＃１の再生終了）。また、時刻「τoutSIDE,END＝τinSIDE,END」になると、再生制御部１９２Ｂは、後続楽曲（楽曲＃２）の非中央定位領域に関する信号Ｓ２のフェードイン処理を終了するため、利得「１．０」を指定した第４利得指令ＸＣ４を生成し、第４処理部２１４へ送る。
【０１９８】
また、このとき、再生制御部１９２Ｂは、利得「１」を指定した第３利得指令ＸＣ３を第３処理部２１３へ送っている。
【０１９９】
中央定位の音成分については、第３処理部２１３が、信号Ｍ２を信号ＭＸ２として、ステレオ信号抽出部１３６へ送る。一方、非中央定位の音成分については、第４処理部２１４が、信号Ｓ２を信号ＳＸ２として、ステレオ信号抽出部１３６へ送る。
【０２００】
以後、ステレオ信号抽出部１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２０１】
《楽曲コンテンツのクロスフェード再生処理（ii）》
次に、上述した（ii）の条件のもとで作成された第１期間処理情報＃１〜＃２及び第２期間処理情報＃１〜＃２（図１４参照）に基づく、楽曲コンテンツのクロスフェード再生処理の制御について説明する。
【０２０２】
再生制御部１９２Ｂは、当該入力データＩＰＤを受けると、楽曲再生計画に従って、楽曲＃１を指定した再生指令ＰＣ１を生成し、楽曲供給ユニット１２１へ送る（時刻ｔ＝０）。
【０２０３】
以下の説明では、再生制御部１９２Ｂが、再生指令ＰＣ１を楽曲供給ユニット１２１へ送ったときを時刻「０」として、時刻ｔ＝０以後の楽曲コンテンツの再生処理の制御を、時刻の経過順に説明する。すなわち、以下では、時刻ｔ＝「０」、「τoutMID,START」、「τoutSIDE,START」、「τoutSIDE,END」、「τinMID,START」、「τoutMID,END」、「τinSIDE,START」、「τinSIDE,END」、「τinMID,END」の順に（図１４参照）、楽曲コンテンツのクロスフェード処理の制御について説明する。
【０２０４】
また、時刻ｔ＝０では、再生制御部１９２Ｂは、利得「１．０」を指定した第１利得指令ＸＣ１を生成し、第１処理部２１１へ送る。また、再生制御部１９２Ｂは、時刻ｔ＝０では、利得「１．０」を指定した第２利得指令ＸＣ２を生成し、第２処理部２１２へ送る。
【０２０５】
楽曲供給ユニット１２１は、音源ユニット１１０から、楽曲音データ＃１を楽曲信号ＭＤ１として読み取り、信号Ｌ１及び信号Ｒ１を生成する。そして、楽曲供給ユニット１２１は、生成された信号Ｌ１及び信号Ｒ１をデジタル処理ユニット１３０へ送る。
【０２０６】
デジタル処理ユニット１３０では、抽出部１３１が、信号Ｌ１及び信号Ｒ１から、信号Ｍ１及び信号Ｓ１を抽出する。そして、抽出部１３１は、信号Ｍ１を第１処理部２１１へ送り、信号Ｓ１を第２処理部２１２へ送る。
【０２０７】
第１処理部２１１は、第１利得指令ＸＣ１（利得「１．０」）に従って、信号Ｍ１を信号ＭＸ１として、ステレオ信号抽出部１３５へ送る。また、第２処理部２１２は、第２利得指令ＸＣ２（利得「１．０」）に従って、信号Ｓ１を信号ＳＸ１として、ステレオ信号抽出部１３５へ送る。
【０２０８】
以後、ステレオ信号抽出部１３５、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２０９】
（中央定位の音成分に対する第１期間の処理開始）
この後、時刻「τoutMID,START」になると（図１４参照）、再生制御部１９２Ｂは、先行楽曲（楽曲＃１）の中央定位領域に関する信号Ｍ１のフェードアウト処理を開始するため、利得ｈoutMIDを指定した第１利得指令ＸＣ１を生成し、第１処理部２１１へ送る。
【０２１０】
また、このとき、再生制御部１９２Ｂは、利得「１．０」を指定した第２利得指令ＸＣ２を第２処理部２１２へ送っている。
【０２１１】
中央定位の音成分については、第１処理部２１１が、信号Ｍ１に利得ｈoutMIDを乗じて得られた信号ＭＸ１を、ステレオ信号抽出部１３５へ送る。一方、非中央定位の音成分については、第２処理部２１２が、信号Ｓ１を信号ＳＸ１として、ステレオ信号抽出部１３５へ送る。
【０２１２】
以後、ステレオ信号抽出部１３５、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２１３】
（非中央定位の音成分に対する第２期間の処理開始）
この後、時刻「τoutSIDE,START」になると（図１４参照）、再生制御部１９２Ｂは、先行楽曲（楽曲＃１）の非中央定位領域に関する信号Ｓ１のフェードアウト処理を開始するため、利得ｈoutSIDEを指定した第２利得指令ＸＣ２を生成し、第２処理部２１２へ送る。
【０２１４】
なお、このとき、再生制御部１９２Ｂは、利得ｈoutMIDを指定した第１利得指令ＸＣ１を第１処理部２１１へ送っている。
【０２１５】
中央定位の音成分については、第１処理部２１１が、信号Ｍ１に利得ｈoutMIDを乗じて得られた信号ＭＸ１を、ステレオ信号抽出部１３５へ送る。一方、非中央定位の音成分については、第２処理部２１２が、信号Ｓ１に利得ｈoutSIDEを乗じて得られた信号ＳＸ１を、ステレオ信号抽出部１３５へ送る。
【０２１６】
以後、ステレオ信号抽出部１３５、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２１７】
（非中央定位の音成分のフェードアウト終了）
この後、時刻「τoutSIDE,END」になると（図１４参照）、再生制御部１９２Ｂは、先行楽曲（楽曲＃１）の非中央定位領域に関する信号Ｓ１のフェードアウト処理を終了するため、利得「０」を指定した第２利得指令ＸＣ２を生成し、第２処理部２１２へ送る。
【０２１８】
また、このとき、再生制御部１９２Ｂは、利得ｈoutMIDを指定した第１利得指令ＸＣ１を第１処理部２１１へ送っている。
【０２１９】
このとき、中央定位の音成分については、第１処理部２１１が、信号Ｍ１に利得ｈoutMIDを乗じて得られた信号ＭＸ１を、ステレオ信号抽出部１３５へ送る。一方、非中央定位領域に関する音成分は、再生されない。
【０２２０】
以後、ステレオ信号抽出部１３５、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２２１】
（中央定位の音成分のフェードイン開始）
この後、時刻「τinMID,START」になると（図１４参照）、再生制御部１９２Ｂは、楽曲＃２を指定した再生指令ＰＣ２を生成し、楽曲供給ユニット１２２へ送る。楽曲供給ユニット１２２は、当該再生指令ＰＣ２を受けると、音源ユニット１１０から、楽曲音データ＃２を楽曲信号ＭＤ２として読み取り、信号Ｌ２及び信号Ｒ２を生成する。そして、楽曲供給ユニット１２２は、生成された信号Ｌ２及び信号Ｒ２をデジタル処理ユニット１３０へ送る。
【０２２２】
デジタル処理ユニット１３０では、抽出部１３２が、信号Ｌ２及び信号Ｒ２から、信号Ｍ２及び信号Ｓ２を抽出する。そして、抽出部１３２は、信号Ｍ２を第３処理部２１３へ送り、信号Ｓ２を第４処理部２１４へ送る。
【０２２３】
また、時刻「τinMID,START」になると、再生制御部１９２Ｂは、後続楽曲（楽曲＃２）の中央定位領域に関する信号Ｍ２のフェードイン処理を開始するため、利得ｈinMIDを指定した第３利得指令ＸＣ３を生成し、第３処理部２１３へ送る。
【０２２４】
また、このとき、再生制御部１９２Ｂは、利得ｈoutMIDを指定した第１利得指令ＸＣ１を第１処理部２１１へ送っている。また、このとき、再生制御部１９２Ｂは、利得「０」を指定した第２利得指令ＸＣ２を第２処理部２１２へ送っている。
【０２２５】
このとき、中央定位の音成分については、第１処理部２１１が、信号Ｍ１に利得ｈoutMIDを乗じて得られた信号ＭＸ１を、ステレオ信号抽出部１３５へ送る。また、第３処理部２１３が、信号Ｍ２に利得ｈinMIDを乗じて得られた信号ＭＸ２を、ステレオ信号抽出部１３６へ送る。すなわち、中央定位領域に関する音成分は、クロスフェードされる。一方、非中央定位領域に関する音成分は、再生されない。
【０２２６】
以後、ステレオ信号抽出部１３５，１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２２７】
（中央定位の音成分のフェードアウト終了）
この後、時刻「τoutMID,END」になると（図１４参照）、再生制御部１９２Ｂは、先行楽曲（楽曲＃１）の中央定位領域に関する信号Ｍ１のフェードアウト処理を終了する（楽曲＃１の再生終了）。
【０２２８】
また、このとき、再生制御部１９２Ｂは、利得ｈinMIDを指定した第３利得指令ＸＣ３を第３処理部２１３へ送っている。
【０２２９】
中央定位の音成分については、第３処理部２１３が、信号Ｍ２に利得ｈinMIDを乗じた信号ＭＸ２を、ステレオ信号抽出部１３６へ送る。一方、非中央定位の音成分は、再生されない。
【０２３０】
以後、ステレオ信号抽出部１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２３１】
（非中央定位の音成分のフェードイン開始）
この後、時刻「τinSIDE,START」になると（図１４参照）、再生制御部１９２Ｂは、後続楽曲（楽曲＃２）の非中央定位領域に関する信号Ｓ２のフェードイン処理を開始するため、利得ｈinSIDEを指定した第４利得指令ＸＣ４を生成し、第４処理部２１４へ送る。
【０２３２】
また、このとき、再生制御部１９２Ｂは、利得ｈinMIDを指定した第３利得指令ＸＣ３を第３処理部２１３へ送っている。
【０２３３】
中央定位の音成分については、第３処理部２１３が、信号Ｍ２に利得ｈinMIDを乗じて得られた信号ＭＸ２を、ステレオ信号抽出部１３６へ送る。一方、非中央定位の音成分については、第４処理部２１４が、信号Ｓ２に利得ｈinSIDEを乗じて得られた信号ＳＸ２を、ステレオ信号抽出部１３６へ送る。
【０２３４】
以後、ステレオ信号抽出部１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２３５】
（非中央定位の音成分に対する第２期間の処理終了）
この後、時刻「τinSIDE,END」になると（図１４参照）、再生制御部１９２Ｂは、後続楽曲（楽曲＃２）の非中央定位領域に関する信号Ｓ２のフェードイン処理を終了するため、利得「１．０」を指定した第４利得指令ＸＣ４を生成し、第４処理部２１４へ送る。
【０２３６】
また、このとき、再生制御部１９２Ｂは、利得ｈinMIDを指定した第３利得指令ＸＣ３を第３処理部２１３へ送っている。
【０２３７】
中央定位の音成分については、第３処理部２１３が、信号Ｍ２に利得ｈinMIDを乗じて得られた信号ＭＸ２を、ステレオ信号抽出部１３６へ送る。一方、非中央定位の音成分については、第４処理部２１４が、信号Ｓ２を信号ＳＸ２として、ステレオ信号抽出部１３６へ送る。
【０２３８】
以後、ステレオ信号抽出部１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２３９】
（中央定位の音成分に対する第１期間の処理終了）
この後、時刻「τinMID,END」になると（図１４参照）、再生制御部１９２Ｂは、後続楽曲（楽曲＃２）の中央定位領域に関する信号Ｍ２のフェードイン処理を終了するため、利得「１．０」を指定した第３利得指令ＸＣ３を生成し、第３処理部２１３へ送る。
【０２４０】
また、このとき、再生制御部１９２Ｂは、利得「１．０」を指定した第４利得指令ＸＣ４を第４処理部２１４へ送っている。
【０２４１】
中央定位の音成分については、第３処理部２１３が、信号Ｍ２を信号ＭＸ２として、ステレオ信号抽出部１３６へ送る。一方、非中央定位の音成分については、第４処理部２１４が、信号Ｓ２を信号ＳＸ２として、ステレオ信号抽出部１３６へ送る。
【０２４２】
以後、ステレオ信号抽出部１３６、信号加算部１３７L，１３７R及びアナログ処理ユニット１５０で処理が行われ、出力音声信号ＡＯＳL，ＡＯＳRが生成される。そして、スピーカユニット１６０L，１６０Rが、出力音声信号ＡＯＳL，ＡＯＳRに従って、音声を再生出力する。
【０２４３】
以上説明したように、第２実施形態では、上述した第１実施形態と同様にして、楽曲信号ＭＤ１から中央定位領域に関する音成分の信号Ｍ１、及び、非中央定位領域に関する音成分の信号Ｓ１を抽出し、楽曲信号ＭＤ２から中央定位領域に関する音成分の信号Ｍ２、及び、非中央定位領域に関する音成分の信号Ｓ２を抽出する。
【０２４４】
そして、先行楽曲と後続楽曲とのクロスフェード再生を行うに際して、再生制御部１９２Ｂによる制御のもとで、クロスフェード処理部１３３が、中央定位領域に関する音成分の信号（Ｍ１，Ｍ２）及び非中央定位領域に関する音成分の信号（Ｓ１，Ｓ２）のそれぞれに対して、先行楽曲のフェードアウト処理を行い、後続楽曲のフェードイン処理を行う。
【０２４５】
かかるフェードアウト処理及びフェードイン処理の制御に際して、再生制御部１９２Ｂは、先行楽曲の終盤部分及び後続楽曲の先頭部分の音色を解析する。そして、中央定位領域に関する音成分に対してクロスフェード再生を行った際に聴感上の違和感が発生し、かつ、非中央定位領域に関する音成分に対してクロスフェード再生を行った際に発生する聴感上の違和感が発生し難いと評価した場合には、再生制御部１９２Ｂは、中央定位領域に関するフェードアウト処理の開始からフェードイン処理の終了までの第１期間の第１期間長を非中央定位領域に関するフェードアウト処理の開始からフェードイン処理終了までの第２期間の第２期間長より短くする。
【０２４６】
また、かかる制御に際して、中央定位領域に関するフェードアウト処理を、中央定位領域に関するフェードイン処理の開始前に終了させるようにして、中央定位領域については、クロスフェード再生を行わないようにする。また、かかる制御に際して、非中央定位領域におけるフェードアウト処理を、非中央定位領域におけるフェードイン処理の開始後に終了させるようにして、非中央定位領域については、クロスフェード再生を行うようにする。
【０２４７】
このように、中央定位領域に関する音成分に対してクロスフェード再生を行った際に聴感上の違和感が発生し、かつ、非中央定位領域に関する音成分に対してクロスフェード再生を行った際に発生する聴感上の違和感が発生し難いと評価した場合には、非中央定位領域に関する音成分に対してのみ、クロスフェード再生を行うようにしている。
【０２４８】
このため、第２実施形態では、中央定位領域に関する音成分に対してクロスフェード再生を行った際に聴感上の違和感が発生すると評価される場合に、音楽的な調和が崩れることを抑制することができる。
【０２４９】
また、第２実施形態では、非中央定位領域に関する音成分に対してクロスフェード再生を行った際に聴感上の違和感が発生し、かつ、中央定位領域に関する音成分に対してクロスフェード再生を行った際に発生する聴感上の違和感が発生し難いと評価した場合には、再生制御部１９２Ｂは、中央定位領域に関するフェードアウト処理の開始からフェードイン処理の終了までの第１期間の第１期間長を非中央定位領域に関するフェードアウト処理の開始からフェードイン処理の終了までの第２期間の第２期間長より長くする。
【０２５０】
また、かかる制御に際して、中央定位領域に関するフェードアウト処理を、中央定位領域に関するフェードイン処理の開始後に終了させるようにして、中央定位領域については、クロスフェード再生を行うようにする。また、かかる制御に際して、非中央定位領域に関するフェードアウト処理を、非中央定位領域に関するフェードイン処理の開始前に終了させるようにして、非中央定位領域については、クロスフェード再生を行わないようにする。
【０２５１】
このように、非中央定位領域に関する音成分に対してクロスフェード再生を行った際に聴感上の違和感が発生し、かつ、中央定位領域に関する音成分に対してクロスフェード再生を行った際に発生する聴感上の違和感が発生し難いと評価した場合には、中央定位領域に関する音成分に対してのみ、クロスフェード再生を行うようにしている。
【０２５２】
このため、第２実施形態では、非中央定位領域に関する音成分に対してクロスフェード再生を行った際に聴感上の違和感が発生すると評価される場合に、音楽的な調和が崩れることを抑制することができる。
【０２５３】
したがって、第２実施形態によれば、上述した第１実施形態と同様に、複数チャンネルの楽曲に対してクロスフェード再生を行ったときに、クロスフェード期間において、聴感上の違和感の発生を抑制することができる。
【０２５４】
［実施形態の変形］
本発明は、上記の実施形態に限定されるものではなく、様々な変形が可能である。
【０２５５】
例えば、上記の第１実施形態では、中央定位領域に関する音成分及び非中央定位領域に関する音成分の双方で、クロスフェード再生を行うようにした。これに対して、非中央定位領域に関する音成分に対してのみ、クロスフェード再生を行うようにしてもよい。
【０２５６】
また、上記の第１実施形態では、中央定位領域に関する音成分について、先行楽曲のフェードアウト処理の開始時刻と後続楽曲のフェードイン処理の開始時刻とを同じにし、さらに、先行楽曲のフェードアウト処理の終了時刻と後続楽曲のフェードイン処理の終了時刻とを同じにした（図９）。これに対して、先行楽曲のフェードアウト処理の開始時刻と後続楽曲のフェードイン処理の開始時刻とを異なるようにし、また、先行楽曲のフェードアウト処理の終了時刻と後続楽曲のフェードイン処理の終了時刻とを異なるようにしてもよいことは勿論である。
【０２５７】
また、上記の第１実施形態では、非中央定位領域に関する音成分について、先行楽曲のフェードアウト処理の開始時刻と後続楽曲のフェードイン処理の開始時刻とを同じにし、さらに、先行楽曲のフェードアウト処理の終了時刻と後続楽曲のフェードイン処理の終了時刻とを同じにした（図９）。これに対して、先行楽曲のフェードアウト処理の開始時刻と後続楽曲のフェードイン処理の開始時刻とを異なるようにし、また、先行楽曲のフェードアウト処理の終了時刻と後続楽曲のフェードイン処理の終了時刻とを異なるようにしてもよいことは勿論である。
【０２５８】
また、上記の第２実施形態では、再生制御部が、中央定位領域に関する音成分の信号及び非中央定位領域に関する音成分の信号に基づいて、解析情報を作成するようにした。これに対して、Ｌチャンネルの音成分の信号、及び、Ｒチャンネルの音成分の信号に基づいて、解析情報を作成するようにしてもよい。また、中央定位領域に関する音成分の信号、非中央定位領域に関する音成分の信号。Ｌチャンネルの音成分の信号、及び、Ｒチャンネルの音成分の信号に基づいて、解析情報を作成するようにしてもよい。
【０２５９】
また、上記の第２実施形態では、楽曲のクロスフェード再生を行う前に、解析情報を作成することとした。これに対して、楽曲のクロスフェード再生時に、解析情報を作成するようにしてもよい。
【０２６０】
また、上記の第２実施形態では、再生制御部が、解析情報を作成することとした。これに対して、他装置が解析情報を作成し、当該作成された解析情報を再生装置が取得するようにしてもよい。
【０２６１】
また、上記の第１及び第２実施形態では、中央定位領域に関する音成分の信号及び非中央定位領域に関する音成分の信号のそれぞれに対して、図９，１３，１４に示される形状の利得関数を用いて、先行楽曲のフェードアウト処理を行い、後続楽曲のフェードイン処理を行うようにした。これらの利得関数の形状は一例であって、音声信号のレベルを一時的に上昇させる関数や聴感的な音量補正を考慮した関数等の他の形状の利得関数を用いて、フェードイン処理及びフェードアウト処理を行ってもよいことは、勿論である。
【０２６２】
また、上記の第１及び第２実施形態では、中央定位領域に関する音成分の信号及び非中央定位領域に関する音成分の信号のそれぞれに対して、再生制御部が、自動で、先行楽曲のフェードアウト処理を行い、後続楽曲のフェードイン処理を行うようにした。これに対して、中央定位領域に関する音成分の信号及び非中央定位領域に関する音成分の信号のそれぞれに対する、フェードアウト処理の制御の態様及びフェードイン処理の制御の態様を、手動で行うようにしてもよい。
【０２６３】
こうした場合には、いわゆるディスクジョッキ（ＤＪ）が、中央定位領域に関する音成分の信号及び非中央定位領域に関する音成分の信号のそれぞれに対する、先行楽曲のフェードアウト処理及び後続楽曲のフェードイン処理の入力操作を行う構成にしてもよい。
【０２６４】
また、上記の第１及び第２実施形態において、クロスフェード処理部を通過した信号ＭＸ１，ＳＸ１，ＭＸ２，ＳＸ２に対して、残響音付加等の音響効果を付加するようにしてもよい。
【０２６５】
また、上記の第１及び第２実施形態では、２チャンネルステレオ方式のステレオ楽曲に対して、クロスフェード処理を行うようにした。これに対して、マルチチャンネルのサラウンド楽曲に対して、クロスフェード処理を行うようにしてもよい。この場合には、例えば、センターチャンネル信号を中央定位領域の音成分の信号とする。また、フロントレフトチャンネル信号及びフロントライトチャンネル信号（双方をまとめて、「フロントチャンネル信号」と記す）を、第１の非中央定位領域に関する音成分の信号とし、リアレフトチャンネル信号及びリアライトチャンネル信号（双方をまとめて、「リアチャンネル信号」と記す）を、第２の非中央定位領域に関する音成分の信号とする。
【０２６６】
そして、センターチャンネル信号の音成分、フロントチャンネル信号の音成分、リアチャンネル信号の音成分のそれぞれに対して、フェードアウト処理及びフェードイン処理を行うようにしてもよい。この場合に、センターチャンネル信号の音成分におけるフェードアウト処理の開始からフェードイン処理の終了までの期間を第１期間、フロントチャンネル信号の音成分におけるフェードアウト処理の開始からフェードイン処理の終了までの期間を第２期間、リアチャンネル信号の音成分におけるフェードアウト処理の開始からフェードイン処理の終了までの期間を第３期間とした場合に、第１期間、第２期間、第３期間の順番で、期間長を短くすることができる。そして、例えば、第１期間、第２期間及び第３期間のそれぞれについて、クロスフェード再生を行うようにすることができる。
【０２６７】
上記の再生装置の一部又は全部（音源ユニット、入力ユニット及びスピーカユニットを除く）を中央処理装置（ＣＰＵ：Central Processing Unit）等を備えた演算手段としてのコンピュータとして構成し、予め用意されたプログラムを当該コンピュータで実行することにより、上記の実施形態における再生装置の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図１】
2018029740.tif 000003
【図２】
2018029740.tif 000004
【図３】
2018029740.tif 000005
【図４】
2018029740.tif 000006
【図５】
2018029740.tif 000007
【図６】
2018029740.tif 000008
【図７】
2018029740.tif 000009
【図８】
2018029740.tif 000010
【図９】
2018029740.tif 000011
【図１０】
2018029740.tif 000012
【図１１】
2018029740.tif 000013
【図１２】
2018029740.tif 000014
【図１３】
2018029740.tif 000015
【図１４】
2018029740.tif 000016
【国際調査報告】
2018029740.tif 000017
2018029740.tif 000018